(57)【特許請求の範囲】
【請求項１】
収溶液ライン（１０６）を流れる吸収溶液が保有する熱量を高温再生器（２０２）に向う吸収溶液に投入する様に構成され、低温溶液熱交換器（３００）は低温再生器（２０６）から吸収器（２０８）に向う吸収溶液ライン（１０８）を流れる吸収溶液が保有する熱量を高温再生器（２０２）に向う吸収溶液に投入する様に構成され、
高温再生器（２０２）に向う吸収溶液ラインには第１〜第７の熱交換器（２２０、２２２、２２４、２２６、２２８、２３０、２３２）を介装しており、
第１の熱交換器（２２０）は、高温溶液熱交換器（３０４）と高温再生器（２０２）の間の領域（２５２）に介装され、
第２の熱交換器（２２２）は、中温溶液熱交換器（３０２）と高温溶液熱交換器（３０４）の間における第１の分岐点（２４６Ｂ）で分岐する第１の分岐ライン（２５０）に介装されており、該第１の分岐ライン（２５０）は高温溶液熱交換器（３０４）をバイパスし且つ高温溶液熱交換器（３０４）と第１の熱交換器（２２０）の間の第１の合流点（２４６Ｇ）で高温再生器（２０２）に向う吸収溶液ラインと合流し、
第３の熱交換器（２２４）は、中温溶液熱交換器（３０２）と第１の分岐点（２４６Ｂ）との間の領域（２４６）に介装され、
第４の熱交換器（２２６）は、低温溶液熱交換器（３００）と中温溶液熱交換器（３０２）の間における第２の分岐点（２４０Ｂ）で分岐する第２の分岐ライン（２４４）に介装されており、該第２の分岐ライン（２４４）は中温溶液熱交換器（３０２）をバイパスし且つ中温溶液熱交換器（３０２）と第３の熱交換器（２２４）の間の第２の合流点（２４２Ｇ）で高温再生器（２０２）に向う吸収溶液ラインと合流し、
第５の熱交換器（２２８）は、低温溶液熱交換器（３００）と第２の分岐点（２４０Ｂ）との間の領域（２４０）に介装され、
第６の熱交換器（２３０）は、吸収溶液ポンプ（１０２）と低温溶液熱交換器（３００）の間における第３の分岐点（２３４Ｂ）で分岐する第３の分岐ライン（２３８）に介装されており、該第３の分岐ライン（２３８）は低温溶液熱交換器（３００）をバイパスし且つ低温溶液熱交換器（３００）と第５の熱交換器（２２８）の間の第３の合流点（２３６Ｇ）で高温再生器（２０２）に向う吸収溶液ラインと合流し、
第７の熱交換器（２３２）は、吸収溶液ポンプ（１０２）と第３の分岐点（２３４Ｂ）との間の領域（２３５）に介装されており、
第１〜第７の熱交換器（２２０、２２２、２２４、２２６、２２８、２３０、２３２）は外部熱源（Ｑ１〜Ｑ７）に連通されて、高温再生器（２０２）に向う吸収溶液ラインを流過する吸収溶液に外部熱源（Ｑ１〜Ｑ７）からの熱量が投入される様に構成されていることを特徴とする吸収冷温水機。
【請求項２】
高温再生器（２０２）と、中温再生器（２０４）と、低温再生器（２０６）と、吸収器（２０８）と、凝縮器（２１０）と、蒸発器（２１２）とを有し、吸収器（２０８）から出た吸収溶液が、高温再生器（２０２）、中温再生器（２０４）、低温再生器（２０６）の順に流過する様に構成され、高温再生器（２０２）には加熱用熱源（Ｂｎ）が付設され、加熱用熱源（Ｂｎ）から供給される熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から高温再生器（２０２）に向う吸収溶液ラインには低温溶液熱交換器（３００）、中温溶液熱交換器（３０２）、高温溶液熱交換器（３０４）が介装され、高温溶液熱交換器（３０４）は高温再生器（２０２）から中温再生器（２０４）に向う吸収溶液ライン（１０４）を流れる吸収溶液が保有する熱量を高温再生器（２０２）に向う吸収溶液に投入する様に構成され、中温溶液熱交換器（３０２）は中温再生器（２０４）から低温再生器（２０６）に向う吸収溶液ライン（１０６）を流れる吸収溶液が保有する熱量を高温再生器（２０２）に向う吸収溶液に投入する様に構成され、低温溶液熱交換器（３００）は低温再生器（２０６）から吸収器（２０８）に向う吸収溶液ライン（１０８）を流れる吸収溶液が保有する熱量を高温再生器（２０２）に向う吸収溶液に投入する様に構成され、
高温再生器（２０２）に向う吸収溶液ラインには第１の熱交換器（２２０）と、第２の熱交換器（２３２）と、第３の熱交換器（２２５）を介装しており、
第１の熱交換器（２２０）は、高温溶液熱交換器（３０４）と高温再生器（２０２）の間の領域に介装され、
第２の熱交換器（２３２）は、吸収溶液ポンプ（１０２）と低温溶液熱交換器（３００）との間の領域に介装されており、
第３の熱交換器（２２５）は、第２の熱交換器（２３２）と低温溶液熱交換器（３００）の間における分岐点（２３４Ｂ）で分岐する分岐ライン（２３６Ｑ）に介装されており、該分岐ライン（２３６Ｑ）は低温溶液熱交換器（３００）と中温溶液熱交換器（３０２）と高温溶液熱交換器（３０４）をバイパスし且つ高温溶液熱交換器（３０４）と第１の熱交換器（２２０）の間の合流点（２４６Ｇ）で高温再生器（２０２）に向う吸収溶液ラインと合流し、
第１の熱交換器（２２０）と第２の熱交換器（２３２）と第３の熱交換器（２２５）は、外部熱源（Ｑ１、Ｑ７、Ｑ１０）に連通されて、高温再生器（２０２）に向う吸収溶液ラインを流過する吸収溶液に外部熱源（Ｑ１、Ｑ７、Ｑ１０）からの熱量が投入される様に構成されていることを特徴とする吸収冷温水機。
【請求項３】
高温再生器（２０２）と、中温再生器（２０４）と、低温再生器（２０６）と、吸収器（２０８）と、凝縮器（２１０）と、蒸発器（２１２）とを有し、吸収器（２０８）から出た吸収溶液が、低温再生器（２０６）、中温再生器（２０４）、高温再生器（２０２）の順に流過する様に構成されており、高温再生器（２０２）には加熱用熱源（Ｂｎ）が付設され、加熱用熱源（Ｂｎ）から供給される熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から低温再生器（２０６）に向う吸収溶液ライン（２３６）には低温溶液熱交換器（３００）が介装され、低温再生器（２０６）から中温再生器（２０４）に向う吸収溶液ライン（２４２）には中温溶液熱交換器（３０２）が介装され、中温溶液熱交換器（３０２）から高温再生器（２０２）に向う吸収溶液ライン（２４８）には高温溶液熱交換器（３０４）が介装され、高温溶液熱交換器（３０４）から吸収器（２０８）に向う吸収溶液ライン（１１０）を流れる吸収溶液が保有する熱量を投入する様に構成され、
吸収溶液ラインには第１〜第９の熱交換器（２２０、２２２、２２４Ａ、２２４Ｂ、２２６、２２８Ａ、２２８Ｂ、２３０、２３２）を介装しており、
第１の熱交換器（２２０）は、中温再生器（２０４）から高温再生器（２０２）に向う吸収溶液ラインの高温溶液熱交換器（３０４）と高温再生器（２０２）の間の領域（２５２）に介装され、
第２の熱交換器（２２２）は、中温再生器（２０４）から高温再生器（２０２）に向う吸収溶液ラインの中温再生器（２０４）と高温溶液熱交換器（３０４）の間における第１の分岐点（２４６Ｂ）で分岐する第１の分岐ライン（２５０）に介装されており、該第１の分岐ライン（２５０）は高温溶液熱交換器（３０４）をバイパスし且つ高温溶液熱交換器（３０４）と第１の熱交換器（２２０）の間の第１の合流点（２４６Ｇ）で高温再生器（２０２）に向う吸収溶液ラインと合流し、
第３の熱交換器（２２４Ａ）は、中温再生器（２０４）から高温再生器（２０２）に向う吸収溶液ラインの中温再生器（２０４）と第１の分岐点（２４６Ｂ）との間の領域（３８６）に介装され、
第４の熱交換器（２２４Ｂ）は、低温再生器（２０６）から中温再生器（２０４）に向う吸収溶液ライン（３８４）の中温溶液熱交換器（３０２）と中温再生器（２０４）との間の領域に介装され、
第５の熱交換器（２２６）は、低温再生器（２０６）から中温再生器（２０４）に向う吸収溶液ラインの低温再生器（２０６）と中温溶液熱交換器（３０２）の間における第２の分岐点（２４０Ｂ）で分岐する第２の分岐ライン（２４４）に介装されており、該第２の分岐ライン（２４４）は中温溶液熱交換器（３０２）をバイパスし且つ中温溶液熱交換器（３０２）と第４の熱交換器（２２４Ｂ）の間の第２の合流点（２４２Ｇ）で低温再生器（２０６）から中温再生器（２０４）に向う吸収溶液ラインと合流し、
第６の熱交換器（２２８Ａ）は、低温再生器（２０６）から中温再生器（２０４）に向う吸収溶液ラインの低温再生器（２０６）と第２の分岐点（２４０Ｂ）との間の領域（３８４）に介装され、
第７の熱交換器（２２８Ｂ）は、吸収器（２０８）から低温再生器（２０６）に向う吸収溶液ラインの低温溶液熱交換器（３００）と低温再生器（２０６）との間の領域（３８２）に介装され、
第８の熱交換器（２３０）は、吸収器（２０８）から低温再生器（２０６）に向う吸収溶液ラインの吸収溶液ポンプ（１０２）と低温溶液熱交換器（３００）の間における第３の分岐点（２３４Ｂ）で分岐する第３の分岐ライン（２３８）に介装されており、該第３の分岐ライン（２３８）は低温溶液熱交換器（３００）をバイパスし且つ低温溶液熱交換器（３００）と第７の熱交換器（２２８Ｂ）の間の第３の合流点（２３６Ｇ）で吸収器（２０８）から低温再生器（２０６）に向う吸収溶液ラインと合流し、
第９の熱交換器（２３２）は、吸収器（２０８）から低温再生器（２０６）に向う吸収溶液ラインの吸収溶液ポンプ（１０２）と第３の分岐点（２３４Ｂ）との間の領域（２３５）に介装されており、
第１〜第９の熱交換器（２２０、２２２、２２４Ａ、２２４Ｂ、２２６、２２８Ａ、２２８Ｂ、２３０、２３２）は、外部熱源（Ｑ１〜Ｑ９）に連通されて、高温再生器（２０２）に向う吸収溶液ラインを流過する吸収溶液に外部熱源（Ｑ１〜Ｑ９）からの熱量が投入される様に構成されていることを特徴とする吸収冷温水機。
【請求項４】
高温再生器（２０２）と、中温再生器（２０４）と、低温再生器（２０６）と、吸収器（２０８）と、凝縮器（２１０）と、蒸発器（２１２）とを有し、高温再生器（２０２）には加熱用熱源（Ｂｎ）が付設され、加熱用熱源（Ｂｎ）から供給される熱量が高温再生器（２０２）内の吸収溶液に投入されて冷媒蒸気が再生する様に構成されており、
吸収器（２０８）を出た吸収溶液が低温再生器（２０６）、中温再生器（２０４）、高温再生器（２０２）の順に流過する様に構成され且つ高温再生器（２０２）と吸収器（２０８）とを連通する吸収溶液ライン（２６０）を有し、低温再生器（２０６）と中温再生器（２０４）とを連通する吸収溶液ライン（２６２）から分岐（２６４）し且つ高温再生器（２０２）と吸収器（２０８）とを連通する前記吸収溶液ライン（２６０）と合流（２６６）する第１の分岐吸収溶液ライン（２６８）を有し、中温再生器（２０４）と高温再生器（２０２）とを連通する吸収溶液ライン（２７０）から分岐（２７２）し且つ高温再生器（２０２）と吸収器（２０８）とを連通する前記吸収溶液ライン（２６０）と合流（２７４）する第２の分岐吸収溶液ライン（２７６）を有し、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から低温再生器（２０６）に向う吸収溶液ライン（２３６）には低温溶液熱交換器（３００）が介装され、低温再生器（２０６）から中温再生器（２０４）に向う吸収溶液ライン（２４２）には中温溶液熱交換器（３０２）が介装され、中温溶液熱交換器（３０２）から高温再生器（２０２）に向う吸収溶液ライン（２４８）には高温溶液熱交換器（３０４）が介装され、高温溶液熱交換器（３０４）から吸収器（２０８）に向う吸収溶液ライン（１１０）を流れる吸収溶液が保有する熱量を投入する様に構成され、
吸収溶液ラインには第１〜第９の熱交換器（２２０、２２２、２２４、２２４Ｂ、２２６、２２８Ａ、２２８Ｂ、２３０、２３２）を介装しており、
第１の熱交換器（２２０）は、中温再生器（２０４）から高温再生器（２０２）に向う吸収溶液ラインの高温溶液熱交換器（３０４）と高温再生器（２０２）の間の領域（２５２）に介装され、
第２の熱交換器（２２２）は、中温再生器（２０４）から高温再生器（２０２）に向う吸収溶液ラインの第２の分岐吸収溶液ライン（２７６）の分岐部（２７２）と高温溶液熱交換器（３０４）の間における第１の分岐点（２４６Ｂ）で分岐する第１の分岐ライン（２５０）に介装されており、該第１の分岐ライン（２５０）は高温溶液熱交換器（３０４）をバイパスし且つ高温溶液熱交換器（３０４）と第１の熱交換器（２２０）の間の第１の合流点（２４６Ｇ）で中温再生器（２０４）から高温再生器（２０２）に向う吸収溶液ラインと合流し、
第３の熱交換器（２２４）は、中温再生器（２０４）から高温再生器（２０２）に向う吸収溶液ラインの第２の分岐吸収溶液ライン（２７６）の分岐部（２７２）と第１の分岐点（２４６Ｂ）との間の領域に介装され、
第４の熱交換器（２２４Ｂ）は、低温再生器（２０６）から中温再生器（２０４）に向う吸収溶液ライン（３８４）の中温溶液熱交換器（３０２）と中温再生器（２０４）との間の領域に介装され、
第５の熱交換器（２２６）は、低温再生器（２０６）から中温再生器（２０４）に向う吸収溶液ラインの第１の分岐吸収溶液ライン（２６８）の分岐部（２６４）と中温溶液熱交換器（３０２）の間における第２の分岐点（２４０Ｂ）で分岐する第２の分岐ライン（２４４）に介装されており、該第２の分岐ライン（２４４）は中温溶液熱交換器（３０２）をバイパスし且つ中温溶液熱交換器（３０２）と第４の熱交換器（２２４Ｂ）の間の第２の合流点（２４２Ｇ）で低温再生器（２０６）から中温再生器（２０４）に向う吸収溶液ラインと合流し、
第６の熱交換器（２２８Ａ）は、低温再生器（２０６）から中温再生器（２０４）に向う吸収溶液ラインの第１の分岐吸収溶液ライン（２６８）の分岐部（２６４）と第２の分岐点（２４０Ｂ）との間の領域に介装され、
第７の熱交換器（２２８Ｂ）は、吸収器（２０８）から低温再生器（２０６）に向う吸収溶液ラインの低温溶液熱交換器（３００）と低温再生器（２０６）との間の領域に介装され、
第８の熱交換器（２３０）は、吸収器（２０８）から低温再生器（２０６）に向う吸収溶液ラインの吸収溶液ポンプ（１０２）と低温溶液熱交換器（３００）の間における第３の分岐点（２３４Ｂ）で分岐する第３の分岐ライン（２３８）に介装されており、該第３の分岐ライン（２３８）は低温溶液熱交換器（３００）をバイパスし且つ低温溶液熱交換器（３００）と第７の熱交換器（２２８Ｂ）の間の第３の合流点（２３６Ｇ）で吸収器（２０８）から低温再生器（２０６）に向う吸収溶液ラインと合流し、
第９の熱交換器（２３２）は、吸収器（２０８）から低温再生器（２０６）に向う吸収溶液ラインの吸収溶液ポンプ（１０２）と第３の分岐点（２３４Ｂ）との間の領域に介装されており、
第１〜第９の熱交換器（２２０、２２２、２２４、２２４Ｂ、２２６、２２８Ａ、２２８Ｂ、２３０、２３２）は、外部熱源（Ｑ１〜Ｑ９）に連通されて、高温再生器（２０２）に向う吸収溶液ラインを流過する吸収溶液に外部熱源（Ｑ１〜Ｑ９）からの熱量が投入される様に構成されていることを特徴とする吸収冷温水機。
【請求項５】
高温再生器（２０２）と、中温再生器（２０４）と、低温再生器（２０６）と、吸収器（２０８）と、凝縮器（２１０）と、蒸発器（２１２）とを有し、高温再生器（２０２）には加熱用熱源（Ｂｎ）が付設され、加熱用熱源（Ｂｎ）から供給される熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から高温再生器（２０２）に向う吸収溶液ラインには低温溶液熱交換器（３００）、中温溶液熱交換器（３０２）、高温溶液熱交換器（３０４）が介装され、高温溶液熱交換器（３０４）は高温再生器（２０２）から出た吸収溶液ライン（１０４）を流れる吸収溶液が保有する熱量を高温再生器（２０２）に向う吸収溶液に投入する様に構成され、中温溶液熱交換器（３０２）は中温再生器（２０４）から低温再生器（２０６）に向う吸収溶液ライン（３１４）を流れる吸収溶液が保有する熱量を高温再生器（２０２）に向う吸収溶液に投入する様に構成され、低温溶液熱交換器（３００）は低温再生器（２０６）から吸収器（２０８）に向う吸収溶液ライン（３１６）を流れる吸収溶液が保有する熱量を高温再生器（２０２）に向う吸収溶液に投入する様に構成され、
吸収器（２０８）から高温再生器（２０２）に連通する吸収溶液ライン（２８２、２８４、２８６）が、低温溶液熱交換器（３００）と中温溶液熱交換器（３０２）との間の領域で低温再生器（２０６）に連通する第１の分岐吸収溶液ライン（３０６）が分岐（３０８）しており、中温溶液熱交換器（３０２）と高温溶液熱交換器（３０４）との間の領域で中温再生器（２０４）に連通する第２の分岐吸収溶液ライン（３１０）が分岐（３１１）しており、高温再生器（２０２）から吸収器（２０８）に向かう吸収溶液ライン（３１２、３１４、３１６）には、中温再生器（２０４）で加熱された吸収溶液が流れる吸収溶液ライン（３１８）が合流（３２０）しており、且つ、低温再生器（２０６）で加熱された吸収溶液が流れる吸収溶液ライン（３２２）が合流（３２４）しており、
高温再生器（２０２）に向う吸収溶液ラインには第１〜第９の熱交換器（２２０、２２２、２２３Ａ、２２４、２２６、２２７、２２８、２３０、２３２）を介装しており、
第１の熱交換器（２２０）は、高温溶液熱交換器（３０４）と高温再生器（２０２）の間の領域（２５２）に介装され、
第２の熱交換器（２２２）は、第２の分岐吸収溶液ライン（３１０）の分岐部（３１１）と高温溶液熱交換器（３０４）の間における第１の分岐点（２４６Ｂ）で分岐する第１の分岐ライン（２５０）に介装されており、該第１の分岐ライン（２５０）は高温溶液熱交換器（３０４）をバイパスし且つ高温溶液熱交換器（３０４）と第１の熱交換器（２２０）の間の第１の合流点（２４６Ｇ）で高温再生器（２０２）に向う吸収溶液ラインと合流し、
第３の熱交換器（２２３Ａ）は、第２の分岐吸収溶液ライン（３１０）の分岐部（３１１）と第１の分岐点（２４６Ｂ）との間の領域（２８６）に介装され、
第４の熱交換器（２２４）は、中温溶液熱交換器（３０２）と第２の分岐吸収溶液ライン（３１０）の分岐部（３１１）との間の領域に介装され、
第５の熱交換器（２２６）は、第１の分岐吸収溶液ライン（３０６）の分岐部（３０８）と中温溶液熱交換器（３０２）の間における第２の分岐点（２４０Ｂ）で分岐する第２の分岐ライン（２４４）に介装されており、該第２の分岐ライン（２４４）は中温溶液熱交換器（３０２）をバイパスし且つ中温溶液熱交換器（３０２）と第４の熱交換器（２２４）の間の第２の合流点（２４２Ｇ）で高温再生器（２０２）に向う吸収溶液ラインと合流し、
第６の熱交換器（２２７）は、第１の分岐吸収溶液ライン（３０６）の分岐部（３０８）と第２の分岐点（２４０Ｂ）との間の領域（２８４）に介装され、
第７の熱交換器（２２８）は、低温溶液熱交換器（３００）と第１の分岐吸収溶液ライン（３０６）の分岐部（３０８）との間の領域に介装され、
第８の熱交換器（２３０）は、吸収溶液ポンプ（１０２）と低温溶液熱交換器（３００）の間における第３の分岐点（２８２Ｂ）で分岐する第３の分岐ライン（２８３）に介装されており、該第３の分岐ライン（２８３）は低温溶液熱交換器（３００）をバイパスし且つ低温溶液熱交換器（３００）と第７の熱交換器（２２８）の間の第３の合流点（２８３Ｇ）で高温再生器（２０２）に向う吸収溶液ラインと合流し、
第９の熱交換器（２３２）は、吸収溶液ポンプ（１０２）と第３の分岐点（２８２Ｂ）との間の領域（２３５）に介装されており、
第１〜第９の熱交換器（２２０、２２２、２２３Ａ、２２４、２２６、２２７、２２８、２３０、２３２）は、外部熱源（Ｑ１〜Ｑ９）に連通されて、高温再生器（２０２）に向う吸収溶液ラインを流過する吸収溶液に外部熱源（Ｑ１〜Ｑ９）からの熱量が投入される様に構成されていることを特徴とする吸収冷温水機。
【請求項６】
高温再生器（２０２）と、中温再生器（２０４）と、低温再生器（２０６）と、吸収器（２０８）と、凝縮器（２１０）と、蒸発器（２１２）とを有し、高温再生器（２０２）には加熱用熱源（Ｂｎ）が付設され、加熱用熱源（Ｂｎ）から供給される熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から高温再生器（２０２）に向う吸収溶液ラインには低温溶液熱交換器（３００）、中温溶液熱交換器（３０２）、高温溶液熱交換器（３０４）が介装され、高温溶液熱交換器（３０４）は高温再生器（２０２）から出た吸収溶液ライン（１０４）を流れる吸収溶液が保有する熱量を高温再生器（２０２）に向う吸収溶液に投入する様に構成され、中温溶液熱交換器（３０２）は中温再生器（２０４）から低温再生器（２０６）に向う吸収溶液ラインを流れる吸収溶液が保有する熱量を高温再生器（２０２）に向う吸収溶液に投入する様に構成され、低温溶液熱交換器（３００）は低温再生器（２０６）から吸収器（２０８）に向う吸収溶液ラインを流れる吸収溶液が保有する熱量を高温再生器（２０２）に向う吸収溶液に投入する様に構成され、
吸収器（２０８）から高温再生器（２０２）に連通する吸収溶液ラインが、低温溶液熱交換器（３００）と中温溶液熱交換器（３０２）との間の領域で低温再生器（２０６）に連通する第１の分岐吸収溶液ライン（３０６）が分岐（３０８）しており、中温溶液熱交換器（３０２）と高温溶液熱交換器（３０４）との間の領域で中温再生器（２０４）に連通する第２の分岐吸収溶液ライン（３１０）が分岐（３１１）しており、高温再生器（２０２）から吸収器（２０８）に向かう吸収溶液ライン（３１２、３１４、３１６）には、中温再生器（２０４）で加熱された吸収溶液が流れる吸収溶液ライン（３１８）が合流（３２０）しており、且つ、低温再生器（２０６）で加熱された吸収溶液が流れる吸収溶液ライン（３２２）が合流（３２４）しており、
高温再生器（２０２）に向う吸収溶液ラインには第１〜第３の熱交換器（２２０、２３２、２２７Ｃ）を介装しており、
第１の熱交換器（２２０）は、高温溶液熱交換器（３０４）と高温再生器（２０２）の間の領域（２５２）に介装され、
第２の熱交換器（２３２）は、吸収溶液ポンプ（１０２）と低温溶液熱交換器（３００）との間の領域（２８２）に介装されており、
第３の熱交換器（２２７Ｃ）は、吸収溶液ポンプ（１０２）と低温溶液熱交換器（３００）との間の領域（２８２）における分岐点（２８２Ｂ）で分岐する分岐ライン（２５１Ｓ）に介装されており、該分岐ライン（２５１Ｓ）は低温溶液熱交換器（３００）、中温溶液熱交換器（３０２）、高温溶液熱交換器（３０４）をバイパスし且つ高温溶液熱交換器（３０４）と第１の熱交換器（２２０）の間の合流点（２８７Ｇ）で高温再生器（２０２）に向う吸収溶液ラインと合流し、
第１〜第３の熱交換器（２２０、２３２、２２７Ｃ）は、外部熱源（Ｑ１、Ｑ９、Ｑ１４）に連通されて、高温再生器（２０２）に向う吸収溶液ラインを流過する吸収溶液に外部熱源（Ｑ１、Ｑ９、Ｑ１４）からの熱量が投入される様に構成されていることを特徴とする吸収冷温水機。
【請求項７】
高温再生器（２０２）と、中温再生器（２０４）と、低温再生器（２０６）と、吸収器（２０８）と、凝縮器（２１０）と、蒸発器（２１２）とを有し、高温再生器（２０２）には加熱用熱源（Ｂｎ）が付設され、加熱用熱源（Ｂｎ）から供給される熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から高温再生器（２０２）に向う吸収溶液ラインには低温溶液熱交換器（３００）、中温溶液熱交換器（３０２）、高温溶液熱交換器（３０４）が介装され、高温溶液熱交換器（３０４）は高温再生器（２０２）から中温再生器（２０４）へ向う吸収溶液ライン（１０４）を流れる吸収溶液が保有する熱量を高温再生器（２０２）に向う吸収溶液に投入する様に構成され、中温溶液熱交換器（３０２）は中温再生器（２０４）から低温再生器（２０６）に向う吸収溶液ラインを流れる吸収溶液が保有する熱量を高温再生器（２０２）に向う吸収溶液に投入する様に構成され、低温溶液熱交換器（３００）は低温再生器（２０６）から吸収器（２０８）に向う吸収溶液ライン（３２２）を流れる吸収溶液が保有する熱量を高温再生器（２０２）に向う吸収溶液に投入する様に構成され、
吸収器（２０８）から高温再生器（２０２）に連通する吸収溶液ライン（２８２、２８６）が、低温溶液熱交換器（３００）と中温溶液熱交換器（３０２）との間の領域で低温再生器（２０６）に連通する第１の分岐吸収溶液ライン（３０６）が分岐（３０８）しており、中温溶液熱交換器（３０２）と高温溶液熱交換器（３０４）との間の領域で中温再生器（２０４）に連通する第２の分岐吸収溶液ライン（３１０）が分岐（３１１）しており、高温再生器（２０２）で加熱された吸収溶液が流れる吸収溶液ライン（３４０）は中温再生器（２０４）に連通しており、中温再生器（２０４）で加熱された吸収溶液が流れる吸収溶液ライン（３１８）は第１の分岐吸収溶液ライン（３０６）に合流して低温再生器（２０６）に連通しており、
高温再生器（２０２）に向う吸収溶液ラインには第１〜第９の熱交換器（２２０、２２２、２２３Ａ、２２４、２２６、２２７、２２８、２３０、２３２）を介装しており、
第１の熱交換器（２２０）は、高温溶液熱交換器（３０４）と高温再生器（２０２）の間の領域（２５２）に介装され、
第２の熱交換器（２２２）は、第２の分岐吸収溶液ライン（３１０）の分岐部（３１１）と高温溶液熱交換器（３０４）の間における第１の分岐点（２４６Ｂ）で分岐する第１の分岐ライン（２５０）に介装されており、該第１の分岐ライン（２５０）は高温溶液熱交換器（３０４）をバイパスし且つ高温溶液熱交換器（３０４）と第１の熱交換器（２２０）の間の第１の合流点（２４６Ｇ）で高温再生器（２０２）に向う吸収溶液ラインと合流し、
第３の熱交換器（２２３Ａ）は、第２の分岐吸収溶液ライン（３１０）の分岐部（３１１）と第１の分岐点（２４６Ｂ）との間の領域（２８６）に介装され、
第４の熱交換器（２２４）は、中温溶液熱交換器（３０２）と第２の分岐吸収溶液ライン（３１０）の分岐部（３１１）との間の領域に介装され、
第５の熱交換器（２２６）は、第１の分岐吸収溶液ライン（３０６）の分岐部（３０８）と中温溶液熱交換器（３０２）の間における第２の分岐点（２４０Ｂ）で分岐する第２の分岐ライン（２４４）に介装されており、該第２の分岐ライン（２４４）は中温溶液熱交換器（３０２）をバイパスし且つ中温溶液熱交換器（３０２）と第４の熱交換器（２２４）の間の第２の合流点（２４２Ｇ）で高温再生器（２０２）に向う吸収溶液ラインと合流し、
第６の熱交換器（２２７）は、第１の分岐吸収溶液ライン（３０６）の分岐部（３０８）と第２の分岐点（２４０Ｂ）との間の領域に介装され、
第７の熱交換器（２２８）は、高温再生器（２０２）に向う吸収溶液ラインの低温溶液熱交換器（３００）と第１の分岐吸収溶液ライン（３０６）の分岐部（３０８）との間の領域に介装され、
第８の熱交換器（２３０）は、吸収溶液ポンプ（１０２）と低温溶液熱交換器（３００）の間における第３の分岐点（２８２Ｂ）で分岐する第３の分岐ライン（２８３）に介装されており、該第３の分岐ライン（２８３）は低温溶液熱交換器（３００）をバイパスし且つ低温溶液熱交換器（３００）と第７の熱交換器（２２８）の間の第３の合流点（２８３Ｇ）で高温再生器（２０２）に向う吸収溶液ラインと合流し、
第９の熱交換器（２３２）は、吸収溶液ポンプ（１０２）と第３の分岐点（２８２Ｂ）との間の領域（２３５）に介装されており、
第１〜第９の熱交換器（２２０、２２２、２２３Ａ、２２４、２２６、２２７、２２８、２３０、２３２）は、外部熱源（Ｑ１〜Ｑ９）に連通されて、高温再生器（２０２）に向う吸収溶液ラインを流過する吸収溶液に外部熱源（Ｑ１〜Ｑ９）からの熱量が投入される様に構成されていることを特徴とする吸収冷温水機。
【請求項８】
高温再生器（２０２）と、中温再生器（２０４）と、低温再生器（２０６）と、吸収器（２０８）と、凝縮器（２１０）と、蒸発器（２１２）とを有し、高温再生器（２０２）には加熱用熱源（Ｂｎ）が付設され、加熱用熱源（Ｂｎ）から供給される熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から高温再生器（２０２）に向う吸収溶液ラインには低温溶液熱交換器（３００）、中温溶液熱交換器（３０２）、高温溶液熱交換器（３０４）が介装され、高温溶液熱交換器（３０４）は高温再生器（２０２）から中温再生器（２０４）へ向う吸収溶液ライン（１０４）を流れる吸収溶液が保有する熱量を高温再生器（２０２）に向う吸収溶液に投入する様に構成され、中温溶液熱交換器（３０２）は中温再生器（２０４）から低温再生器（２０６）に向う吸収溶液ラインを流れる吸収溶液が保有する熱量を高温再生器（２０２）に向う吸収溶液に投入する様に構成され、低温溶液熱交換器（３００）は低温再生器（２０６）から吸収器（２０８）に向う吸収溶液ラインを流れる吸収溶液が保有する熱量を高温再生器（２０２）に向う吸収溶液に投入する様に構成され、
吸収器（２０８）から高温再生器（２０２）に連通する吸収溶液ライン（２８２、２８６）が、低温溶液熱交換器（３００）と中温溶液熱交換器（３０２）との間の領域で低温再生器（２０６）に連通する第１の分岐吸収溶液ライン（３０６）が分岐（３０８）しており、中温溶液熱交換器（３０２）と高温溶液熱交換器（３０４）との間の領域で中温再生器（２０４）に連通する第２の分岐吸収溶液ライン（３１０）が分岐（３１１）しており、高温再生器（２０２）で加熱された吸収溶液が流れる吸収溶液ライン（３４０）は中温再生器（２０４）に連通しており、中温再生器（２０４）で加熱された吸収溶液が流れる吸収溶液ライン（３１８）は第１の分岐吸収溶液ライン（３０６）に合流して低温再生器（２０６）に連通しており、
高温再生器（２０２）に向う吸収溶液ラインには第１〜第３の熱交換器（２２０、２３２、２２７Ｃ）を介装しており、
第１の熱交換器（２２０）は、高温溶液熱交換器（３０４）と高温再生器（２０２）の間の領域に介装され、
第２の熱交換器（２３２）は、吸収溶液ポンプ（１０２）と低温溶液熱交換器（３００）との間の領域に介装されており、
第３の熱交換器（２２７Ｃ）は、吸収溶液ポンプ（１０２）と低温溶液熱交換器（３００）との間の領域における分岐点（２８２Ｂ）で分岐する分岐ライン（２５１Ｓ）に介装されており、該分岐ライン（２５１Ｓ）は低温溶液熱交換器（３００）、中温溶液熱交換器（３０２）、高温溶液熱交換器（３０４）をバイパスし且つ高温溶液熱交換器（３０４）と第１の熱交換器（２２０）の間の合流点（２８７Ｇ）で高温再生器（２０２）に向う吸収溶液ラインと合流し、
第１〜第３の熱交換器（２２０、２３２、２２７Ｃ）は、外部熱源（Ｑ１、Ｑ９、Ｑ１４）に連通されて、高温再生器（２０２）に向う吸収溶液ラインを流過する吸収溶液に外部熱源（Ｑ１、Ｑ９、Ｑ１４）からの熱量が投入される様に構成されていることを特徴とする吸収冷温水機。
【発明の詳細な説明】
【０００１】
【発明の属する技術分野】
本発明は、吸収冷温水機に関し、特に、高温再生器、中温再生器、低温再生器を有する３重効用吸収冷温水機に関する。
【０００２】
【従来の技術】
図９に典型的な一例を示す従来の３重効用蒸気焚き吸収冷温水機Ｊ１は、高温再生器２０２と、中温再生器２０４と、低温再生器２０６と、吸収器２０８と、凝縮器２１０と、蒸発器２１２とを有している。そして、高温再生器２０２には加熱用熱源である蒸気が流過する加熱用蒸気ライン２１４が連通し、加熱用蒸気が保有する熱量が高温再生器２０２内の吸収溶液に投入されて冷媒蒸気が発生（再生）する。なお、加熱源としては、燃焼バーナーや電熱ヒーター等も使用されている。
【０００３】
高温再生器２０２で再生した蒸気は、蒸気ライン（第１の蒸気ライン）２１６を流れて、中温再生器２０４内の吸収溶液に対して、保有する熱量を投入する。これにより、中温再生器２０４で冷媒蒸気が再生する。
中温再生器２０４で発生した蒸気は、第２の冷媒蒸気ライン２１８を流れて、低温再生器２０６内の吸収溶液に対して、その保有する熱量を投入し、以って、低温再生器２０６から冷媒蒸気を再生せしめている。
【０００４】
従来の３重効用蒸気焚き吸収冷温水機Ｊ１では、高温再生器２０２で加熱供給される蒸気の熱量が、この系に供給される全熱量であり、例えば近傍に利用可能な熱源があっても系内に供給して利用することができなかった。
本発明者は、エンジンあるいはコージェネ・エンジン等で発生する排熱熱量の吸収冷温水機への利用方法を研究の結果、廃棄する排熱を吸収冷温水機に適用する手段を開発した。
【０００５】
【発明が解決しようとする課題】
本発明は上述したような従来技術の問題点に鑑みて提案されたものであり、外部の排熱を系の中に取り入れて吸収冷温水機としての効率向上をはかる３重効用吸収冷温水機の提供を目的としている。
【０００６】
【課題を解決するための手段】
本発明の吸収冷温水機は、高温再生器（２０２）と、中温再生器（２０４）と、低温再生器（２０６）と、吸収器（２０８）と、凝縮器（２１０）と、蒸発器（２１２）とを有し、吸収器（２０８）から出た吸収溶液が、高温再生器（２０２）、中温再生器（２０４）、低温再生器（２０６）の順に流過する様に構成され、高温再生器（２０２）には加熱用熱源（Ｂｎ）が付設され、加熱用熱源（Ｂｎ）から供給される熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から高温再生器（２０２）に向う吸収溶液ラインには低温溶液熱交換器（３００）、中温溶液熱交換器（３０２）、高温溶液熱交換器（３０４）が介装され、高温溶液熱交換器（３０４）は高温再生器（２０２）から中温再生器（２０４）に向う吸収溶液ライン（１０４）を流れる吸収溶液が保有する熱量を高温再生器（２０２）に向う吸収溶液に投入する様に構成され、中温溶液熱交換器（３０２）は中温再生器（２０４）から低温再生器（２０６）に向う吸収溶液ライン（１０６）を流れる吸収溶液が保有する熱量を高温再生器（２０２）に向う吸収溶液に投入する様に構成され、低温溶液熱交換器（３００）は低温再生器（２０６）から吸収器（２０８）に向う吸収溶液ライン（１０８）を流れる吸収溶液が保有する熱量を高温再生器（２０２）に向う吸収溶液に投入する様に構成され、
高温再生器（２０２）に向う吸収溶液ラインには第１〜第７の熱交換器（２２０、２２２、２２４、２２６、２２８、２３０、２３２）を介装しており、
第１の熱交換器（２２０）は、高温溶液熱交換器（３０４）と高温再生器（２０２）の間の領域（２５２）に介装され、
第２の熱交換器（２２２）は、中温溶液熱交換器（３０２）と高温溶液熱交換器（３０４）の間における第１の分岐点（２４６Ｂ）で分岐する第１の分岐ライン（２５０）に介装されており、該第１の分岐ライン（２５０）は高温溶液熱交換器（３０４）をバイパスし且つ高温溶液熱交換器（３０４）と第１の熱交換器（２２０）の間の第１の合流点（２４６Ｇ）で高温再生器（２０２）に向う吸収溶液ラインと合流し、
第３の熱交換器（２２４）は、中温溶液熱交換器（３０２）と第１の分岐点（２４６Ｂ）との間の領域（２４６）に介装され、
第４の熱交換器（２２６）は、低温溶液熱交換器（３００）と中温溶液熱交換器（３０２）の間における第２の分岐点（２４０Ｂ）で分岐する第２の分岐ライン（２４４）に介装されており、該第２の分岐ライン（２４４）は中温溶液熱交換器（３０２）をバイパスし且つ中温溶液熱交換器（３０２）と第３の熱交換器（２２４）の間の第２の合流点（２４２Ｇ）で高温再生器（２０２）に向う吸収溶液ラインと合流し、
第５の熱交換器（２２８）は、低温溶液熱交換器（３００）と第２の分岐点（２４０Ｂ）との間の領域（２４０）に介装され、
第６の熱交換器（２３０）は、吸収溶液ポンプ（１０２）と低温溶液熱交換器（３００）の間における第３の分岐点（２３４Ｂ）で分岐する第３の分岐ライン（２３８）に介装されており、該第３の分岐ライン（２３８）は低温溶液熱交換器（３００）をバイパスし且つ低温溶液熱交換器（３００）と第５の熱交換器（２２８）の間の第３の合流点（２３６Ｇ）で高温再生器（２０２）に向う吸収溶液ラインと合流し、
第７の熱交換器（２３２）は、吸収溶液ポンプ（１０２）と第３の分岐点（２３４Ｂ）との間の領域（２３５）に介装されており、
第１〜第７の熱交換器（２２０、２２２、２２４、２２６、２２８、２３０、２３２）は外部熱源（Ｑ１〜Ｑ７）に連通されて、高温再生器（２０２）に向う吸収溶液ラインを流過する吸収溶液に外部熱源（Ｑ１〜Ｑ７）からの熱量が投入される様に構成されていることを特徴としている（請求項１：図１）
【０００７】
また本発明の吸収冷温水機は、高温再生器（２０２）と、中温再生器（２０４）と、低温再生器（２０６）と、吸収器（２０８）と、凝縮器（２１０）と、蒸発器（２１２）とを有し、吸収器（２０８）から出た吸収溶液が、高温再生器（２０２）、中温再生器（２０４）、低温再生器（２０６）の順に流過する様に構成され、高温再生器（２０２）には加熱用熱源（Ｂｎ）が付設され、加熱用熱源（Ｂｎ）から供給される熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から高温再生器（２０２）に向う吸収溶液ラインには低温溶液熱交換器（３００）、中温溶液熱交換器（３０２）、高温溶液熱交換器（３０４）が介装され、高温溶液熱交換器（３０４）は高温再生器（２０２）から中温再生器（２０４）に向う吸収溶液ライン（１０４）を流れる吸収溶液が保有する熱量を高温再生器（２０２）に向う吸収溶液に投入する様に構成され、中温溶液熱交換器（３０２）は中温再生器（２０４）から低温再生器（２０６）に向う吸収溶液ライン（１０６）を流れる吸収溶液が保有する熱量を高温再生器（２０２）に向う吸収溶液に投入する様に構成され、低温溶液熱交換器（３００）は低温再生器（２０６）から吸収器（２０８）に向う吸収溶液ライン（１０８）を流れる吸収溶液が保有する熱量を高温再生器（２０２）に向う吸収溶液に投入する様に構成され、
高温再生器（２０２）に向う吸収溶液ラインには第１の熱交換器（２２０）と、第２の熱交換器（２３２）と、第３の熱交換器（２２５）を介装しており、
第１の熱交換器（２２０）は、高温溶液熱交換器（３０４）と高温再生器（２０２）の間の領域に介装され、
第２の熱交換器（２３２）は、吸収溶液ポンプ（１０２）と低温溶液熱交換器（３００）との間の領域に介装されており、
第３の熱交換器（２２５）は、第２の熱交換器（２３２）と低温溶液熱交換器（３００）の間における分岐点（２３４Ｂ）で分岐する分岐ライン（２３６Ｑ）に介装されており、該分岐ライン（２３６Ｑ）は低温溶液熱交換器（３００）と中温溶液熱交換器（３０２）と高温溶液熱交換器（３０４）をバイパスし且つ高温溶液熱交換器（３０４）と第１の熱交換器（２２０）の間の合流点（２４６Ｇ）で高温再生器（２０２）に向う吸収溶液ラインと合流し、
第１の熱交換器（２２０）と第２の熱交換器（２３２）と第３の熱交換器（２２５）は、外部熱源（Ｑ１、Ｑ７、Ｑ１０）に連通されて、高温再生器（２０２）に向う吸収溶液ラインを流過する吸収溶液に外部熱源（Ｑ１、Ｑ７、Ｑ１０）からの熱量が投入される様に構成されていることを特徴としている（請求項２：図２）。
【０００８】
そして本発明の吸収冷温水機は、高温再生器（２０２）と、中温再生器（２０４）と、低温再生器（２０６）と、吸収器（２０８）と、凝縮器（２１０）と、蒸発器（２１２）とを有し、吸収器（２０８）から出た吸収溶液が、低温再生器（２０６）、中温再生器（２０４）、高温再生器（２０２）の順に流過する様に構成されており、高温再生器（２０２）には加熱用熱源（Ｂｎ）が付設され、加熱用熱源（Ｂｎ）から供給される熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から低温再生器（２０６）に向う吸収溶液ライン（２３６）には低温溶液熱交換器（３００）が介装され、低温再生器（２０６）から中温再生器（２０４）に向う吸収溶液ライン（２４２）には中温溶液熱交換器（３０２）が介装され、中温溶液熱交換器（３０２）から高温再生器（２０２）に向う吸収溶液ライン（２４８）には高温溶液熱交換器（３０４）が介装され、高温溶液熱交換器（３０４）から吸収器（２０８）に向う吸収溶液ライン（１１０）を流れる吸収溶液が保有する熱量を投入する様に構成され、
吸収溶液ラインには第１〜第９の熱交換器（２２０、２２２、２２４Ａ、２２４Ｂ、２２６、２２８Ａ、２２８Ｂ、２３０、２３２）を介装しており、
第１の熱交換器（２２０）は、中温再生器（２０４）から高温再生器（２０２）に向う吸収溶液ラインの高温溶液熱交換器（３０４）と高温再生器（２０２）の間の領域（２５２）に介装され、
第２の熱交換器（２２２）は、中温再生器（２０４）から高温再生器（２０２）に向う吸収溶液ラインの中温再生器（２０４）と高温溶液熱交換器（３０４）の間における第１の分岐点（２４６Ｂ）で分岐する第１の分岐ライン（２５０）に介装されており、該第１の分岐ライン（２５０）は高温溶液熱交換器（３０４）をバイパスし且つ高温溶液熱交換器（３０４）と第１の熱交換器（２２０）の間の第１の合流点（２４６Ｇ）で高温再生器（２０２）に向う吸収溶液ラインと合流し、
第３の熱交換器（２２４Ａ）は、中温再生器（２０４）から高温再生器（２０２）に向う吸収溶液ラインの中温再生器（２０４）と第１の分岐点（２４６Ｂ）との間の領域（３８６）に介装され、
第４の熱交換器（２２４Ｂ）は、低温再生器（２０６）から中温再生器（２０４）に向う吸収溶液ライン（３８４）の中温溶液熱交換器（３０２）と中温再生器（２０４）との間の領域に介装され、
第５の熱交換器（２２６）は、低温再生器（２０６）から中温再生器（２０４）に向う吸収溶液ラインの低温再生器（２０６）と中温溶液熱交換器（３０２）の間における第２の分岐点（２４０Ｂ）で分岐する第２の分岐ライン（２４４）に介装されており、該第２の分岐ライン（２４４）は中温溶液熱交換器（３０２）をバイパスし且つ中温溶液熱交換器（３０２）と第４の熱交換器（２２４Ｂ）の間の第２の合流点（２４２Ｇ）で低温再生器（２０６）から中温再生器（２０４）に向う吸収溶液ラインと合流し、
第６の熱交換器（２２８Ａ）は、低温再生器（２０６）から中温再生器（２０４）に向う吸収溶液ラインの低温再生器（２０６）と第２の分岐点（２４０Ｂ）との間の領域（３８４）に介装され、
第７の熱交換器（２２８Ｂ）は、吸収器（２０８）から低温再生器（２０６）に向う吸収溶液ラインの低温溶液熱交換器（３００）と低温再生器（２０６）との間の領域（３８２）に介装され、
第８の熱交換器（２３０）は、吸収器（２０８）から低温再生器（２０６）に向う吸収溶液ラインの吸収溶液ポンプ（１０２）と低温溶液熱交換器（３００）の間における第３の分岐点（２３４Ｂ）で分岐する第３の分岐ライン（２３８）に介装されており、該第３の分岐ライン（２３８）は低温溶液熱交換器（３００）をバイパスし且つ低温溶液熱交換器（３００）と第７の熱交換器（２２８Ｂ）の間の第３の合流点（２３６Ｇ）で吸収器（２０８）から低温再生器（２０６）に向う吸収溶液ラインと合流し、
第９の熱交換器（２３２）は、吸収器（２０８）から低温再生器（２０６）に向う吸収溶液ラインの吸収溶液ポンプ（１０２）と第３の分岐点（２３４Ｂ）との間の領域（２３５）に介装されており、
第１〜第９の熱交換器（２２０、２２２、２２４Ａ、２２４Ｂ、２２６、２２８Ａ、２２８Ｂ、２３０、２３２）は、外部熱源（Ｑ１〜Ｑ９）に連通されて、高温再生器（２０２）に向う吸収溶液ラインを流過する吸収溶液に外部熱源（Ｑ１〜Ｑ９）からの熱量が投入される様に構成されていることを特徴としている（請求項３：図３）。
【０００９】
さらに本発明の吸収冷温水機は、高温再生器（２０２）と、中温再生器（２０４）と、低温再生器（２０６）と、吸収器（２０８）と、凝縮器（２１０）と、蒸発器（２１２）とを有し、高温再生器（２０２）には加熱用熱源（Ｂｎ）が付設され、加熱用熱源（Ｂｎ）から供給される熱量が高温再生器（２０２）内の吸収溶液に投入されて冷媒蒸気が再生する様に構成されており、
吸収器（２０８）を出た吸収溶液が低温再生器（２０６）、中温再生器（２０４）、高温再生器（２０２）の順に流過する様に構成され且つ高温再生器（２０２）と吸収器（２０８）とを連通する吸収溶液ライン（２６０）を有し、低温再生器（２０６）と中温再生器（２０４）とを連通する吸収溶液ライン（２６２）から分岐（２６４）し且つ高温再生器（２０２）と吸収器（２０８）とを連通する前記吸収溶液ライン（２６０）と合流（２６６）する第１の分岐吸収溶液ライン（２６８）を有し、中温再生器（２０４）と高温再生器（２０２）とを連通する吸収溶液ライン（２７０）から分岐（２７２）し且つ高温再生器（２０２）と吸収器（２０８）とを連通する前記吸収溶液ライン（２６０）と合流（２７４）する第２の分岐吸収溶液ライン（２７６）を有し、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から低温再生器（２０６）に向う吸収溶液ライン（２３６）には低温溶液熱交換器（３００）が介装され、低温再生器（２０６）から中温再生器（２０４）に向う吸収溶液ライン（２４２）には中温溶液熱交換器（３０２）が介装され、中温溶液熱交換器（３０２）から高温再生器（２０２）に向う吸収溶液ライン（２４８）には高温溶液熱交換器（３０４）が介装され、高温溶液熱交換器（３０４）から吸収器（２０８）に向う吸収溶液ライン（１１０）を流れる吸収溶液が保有する熱量を投入する様に構成され、
吸収溶液ラインには第１〜第９の熱交換器（２２０、２２２、２２４、２２４Ｂ、２２６、２２８Ａ、２２８Ｂ、２３０、２３２）を介装しており、
第１の熱交換器（２２０）は、中温再生器（２０４）から高温再生器（２０２）に向う吸収溶液ラインの高温溶液熱交換器（３０４）と高温再生器（２０２）の間の領域（２５２）に介装され、
第２の熱交換器（２２２）は、中温再生器（２０４）から高温再生器（２０２）に向う吸収溶液ラインの第２の分岐吸収溶液ライン（２７６）の分岐部（２７２）と高温溶液熱交換器（３０４）の間における第１の分岐点（２４６Ｂ）で分岐する第１の分岐ライン（２５０）に介装されており、該第１の分岐ライン（２５０）は高温溶液熱交換器（３０４）をバイパスし且つ高温溶液熱交換器（３０４）と第１の熱交換器（２２０）の間の第１の合流点（２４６Ｇ）で中温再生器（２０４）から高温再生器（２０２）に向う吸収溶液ラインと合流し、
第３の熱交換器（２２４）は、中温再生器（２０４）から高温再生器（２０２）に向う吸収溶液ラインの第２の分岐吸収溶液ライン（２７６）の分岐部（２７２）と第１の分岐点（２４６Ｂ）との間の領域に介装され、
第４の熱交換器（２２４Ｂ）は、低温再生器（２０６）から中温再生器（２０４）に向う吸収溶液ライン（３８４）の中温溶液熱交換器（３０２）と中温再生器（２０４）との間の領域に介装され、
第５の熱交換器（２２６）は、低温再生器（２０６）から中温再生器（２０４）に向う吸収溶液ラインの第１の分岐吸収溶液ライン（２６８）の分岐部（２６４）と中温溶液熱交換器（３０２）の間における第２の分岐点（２４０Ｂ）で分岐する第２の分岐ライン（２４４）に介装されており、該第２の分岐ライン（２４４）は中温溶液熱交換器（３０２）をバイパスし且つ中温溶液熱交換器（３０２）と第４の熱交換器（２２４Ｂ）の間の第２の合流点（２４２Ｇ）で低温再生器（２０６）から中温再生器（２０４）に向う吸収溶液ラインと合流し、
第６の熱交換器（２２８Ａ）は、低温再生器（２０６）から中温再生器（２０４）に向う吸収溶液ラインの第１の分岐吸収溶液ライン（２６８）の分岐部（２６４）と第２の分岐点（２４０Ｂ）との間の領域に介装され、
第７の熱交換器（２２８Ｂ）は、吸収器（２０８）から低温再生器（２０６）に向う吸収溶液ラインの低温溶液熱交換器（３００）と低温再生器（２０６）との間の領域に介装され、
第８の熱交換器（２３０）は、吸収器（２０８）から低温再生器（２０６）に向う吸収溶液ラインの吸収溶液ポンプ（１０２）と低温溶液熱交換器（３００）の間における第３の分岐点（２３４Ｂ）で分岐する第３の分岐ライン（２３８）に介装されており、該第３の分岐ライン（２３８）は低温溶液熱交換器（３００）をバイパスし且つ低温溶液熱交換器（３００）と第７の熱交換器（２２８Ｂ）の間の第３の合流点（２３６Ｇ）で吸収器（２０８）から低温再生器（２０６）に向う吸収溶液ラインと合流し、
第９の熱交換器（２３２）は、吸収器（２０８）から低温再生器（２０６）に向う吸収溶液ラインの吸収溶液ポンプ（１０２）と第３の分岐点（２３４Ｂ）との間の領域に介装されており、
第１〜第９の熱交換器（２２０、２２２、２２４、２２４Ｂ、２２６、２２８Ａ、２２８Ｂ、２３０、２３２）は、外部熱源（Ｑ１〜Ｑ９）に連通されて、高温再生器（２０２）に向う吸収溶液ラインを流過する吸収溶液に外部熱源（Ｑ１〜Ｑ９）からの熱量が投入される様に構成されていることを特徴としている（請求項４：図４）
【００１０】
或いは本発明の吸収冷温水機は、高温再生器（２０２）と、中温再生器（２０４）と、低温再生器（２０６）と、吸収器（２０８）と、凝縮器（２１０）と、蒸発器（２１２）とを有し、高温再生器（２０２）には加熱用熱源（Ｂｎ）が付設され、加熱用熱源（Ｂｎ）から供給される熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から高温再生器（２０２）に向う吸収溶液ラインには低温溶液熱交換器（３００）、中温溶液熱交換器（３０２）、高温溶液熱交換器（３０４）が介装され、高温溶液熱交換器（３０４）は高温再生器（２０２）から出た吸収溶液ライン（１０４）を流れる吸収溶液が保有する熱量を高温再生器（２０２）に向う吸収溶液に投入する様に構成され、中温溶液熱交換器（３０２）は中温再生器（２０４）から低温再生器（２０６）に向う吸収溶液ライン（３１４）を流れる吸収溶液が保有する熱量を高温再生器（２０２）に向う吸収溶液に投入する様に構成され、低温溶液熱交換器（３００）は低温再生器（２０６）から吸収器（２０８）に向う吸収溶液ライン（３１６）を流れる吸収溶液が保有する熱量を高温再生器（２０２）に向う吸収溶液に投入する様に構成され、
吸収器（２０８）から高温再生器（２０２）に連通する吸収溶液ライン（２８２、２８４、２８６）が、低温溶液熱交換器（３００）と中温溶液熱交換器（３０２）との間の領域で低温再生器（２０６）に連通する第１の分岐吸収溶液ライン（３０６）が分岐（３０８）しており、中温溶液熱交換器（３０２）と高温溶液熱交換器（３０４）との間の領域で中温再生器（２０４）に連通する第２の分岐吸収溶液ライン（３１０）が分岐（３１１）しており、高温再生器（２０２）から吸収器（２０８）に向かう吸収溶液ライン（３１２、３１４、３１６）には、中温再生器（２０４）で加熱された吸収溶液が流れる吸収溶液ライン（３１８）が合流（３２０）しており、且つ、低温再生器（２０６）で加熱された吸収溶液が流れる吸収溶液ライン（３２２）が合流（３２４）しており、
高温再生器（２０２）に向う吸収溶液ラインには第１〜第９の熱交換器（２２０、２２２、２２３Ａ、２２４、２２６、２２７、２２８、２３０、２３２）を介装しており、
第１の熱交換器（２２０）は、高温溶液熱交換器（３０４）と高温再生器（２０２）の間の領域（２５２）に介装され、
第２の熱交換器（２２２）は、第２の分岐吸収溶液ライン（３１０）の分岐部（３１１）と高温溶液熱交換器（３０４）の間における第１の分岐点（２４６Ｂ）で分岐する第１の分岐ライン（２５０）に介装されており、該第１の分岐ライン（２５０）は高温溶液熱交換器（３０４）をバイパスし且つ高温溶液熱交換器（３０４）と第１の熱交換器（２２０）の間の第１の合流点（２４６Ｇ）で高温再生器（２０２）に向う吸収溶液ラインと合流し、
第３の熱交換器（２２３Ａ）は、第２の分岐吸収溶液ライン（３１０）の分岐部（３１１）と第１の分岐点（２４６Ｂ）との間の領域（２８６）に介装され、
第４の熱交換器（２２４）は、中温溶液熱交換器（３０２）と第２の分岐吸収溶液ライン（３１０）の分岐部（３１１）との間の領域に介装され、
第５の熱交換器（２２６）は、第１の分岐吸収溶液ライン（３０６）の分岐部（３０８）と中温溶液熱交換器（３０２）の間における第２の分岐点（２４０Ｂ）で分岐する第２の分岐ライン（２４４）に介装されており、該第２の分岐ライン（２４４）は中温溶液熱交換器（３０２）をバイパスし且つ中温溶液熱交換器（３０２）と第４の熱交換器（２２４）の間の第２の合流点（２４２Ｇ）で高温再生器（２０２）に向う吸収溶液ラインと合流し、
第６の熱交換器（２２７）は、第１の分岐吸収溶液ライン（３０６）の分岐部（３０８）と第２の分岐点（２４０Ｂ）との間の領域（２８４）に介装され、
第７の熱交換器（２２８）は、低温溶液熱交換器（３００）と第１の分岐吸収溶液ライン（３０６）の分岐部（３０８）との間の領域に介装され、
第８の熱交換器（２３０）は、吸収溶液ポンプ（１０２）と低温溶液熱交換器（３００）の間における第３の分岐点（２８２Ｂ）で分岐する第３の分岐ライン（２８３）に介装されており、該第３の分岐ライン（２８３）は低温溶液熱交換器（３００）をバイパスし且つ低温溶液熱交換器（３００）と第７の熱交換器（２２８）の間の第３の合流点（２８３Ｇ）で高温再生器（２０２）に向う吸収溶液ラインと合流し、
第９の熱交換器（２３２）は、吸収溶液ポンプ（１０２）と第３の分岐点（２８２Ｂ）との間の領域（２３５）に介装されており、
第１〜第９の熱交換器（２２０、２２２、２２３Ａ、２２４、２２６、２２７、２２８、２３０、２３２）は、外部熱源（Ｑ１〜Ｑ９）に連通されて、高温再生器（２０２）に向う吸収溶液ラインを流過する吸収溶液に外部熱源（Ｑ１〜Ｑ９）からの熱量が投入される様に構成されていることを特徴としている（請求項５：図５）。
【００１１】
本発明の吸収冷温水機は、高温再生器（２０２）と、中温再生器（２０４）と、低温再生器（２０６）と、吸収器（２０８）と、凝縮器（２１０）と、蒸発器（２１２）とを有し、高温再生器（２０２）には加熱用熱源（Ｂｎ）が付設され、加熱用熱源（Ｂｎ）から供給される熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から高温再生器（２０２）に向う吸収溶液ラインには低温溶液熱交換器（３００）、中温溶液熱交換器（３０２）、高温溶液熱交換器（３０４）が介装され、高温溶液熱交換器（３０４）は高温再生器（２０２）から出た吸収溶液ライン（１０４）を流れる吸収溶液が保有する熱量を高温再生器（２０２）に向う吸収溶液に投入する様に構成され、中温溶液熱交換器（３０２）は中温再生器（２０４）から低温再生器（２０６）に向う吸収溶液ラインを流れる吸収溶液が保有する熱量を高温再生器（２０２）に向う吸収溶液に投入する様に構成され、低温溶液熱交換器（３００）は低温再生器（２０６）から吸収器（２０８）に向う吸収溶液ラインを流れる吸収溶液が保有する熱量を高温再生器（２０２）に向う吸収溶液に投入する様に構成され、
吸収器（２０８）から高温再生器（２０２）に連通する吸収溶液ラインが、低温溶液熱交換器（３００）と中温溶液熱交換器（３０２）との間の領域で低温再生器（２０６）に連通する第１の分岐吸収溶液ライン（３０６）が分岐（３０８）しており、中温溶液熱交換器（３０２）と高温溶液熱交換器（３０４）との間の領域で中温再生器（２０４）に連通する第２の分岐吸収溶液ライン（３１０）が分岐（３１１）しており、高温再生器（２０２）から吸収器（２０８）に向かう吸収溶液ライン（３１２、３１４、３１６）には、中温再生器（２０４）で加熱された吸収溶液が流れる吸収溶液ライン（３１８）が合流（３２０）しており、且つ、低温再生器（２０６）で加熱された吸収溶液が流れる吸収溶液ライン（３２２）が合流（３２４）しており、
高温再生器（２０２）に向う吸収溶液ラインには第１〜第３の熱交換器（２２０、２３２、２２７Ｃ）を介装しており、
第１の熱交換器（２２０）は、高温溶液熱交換器（３０４）と高温再生器（２０２）の間の領域（２５２）に介装され、
第２の熱交換器（２３２）は、吸収溶液ポンプ（１０２）と低温溶液熱交換器（３００）との間の領域（２８２）に介装されており、
第３の熱交換器（２２７Ｃ）は、吸収溶液ポンプ（１０２）と低温溶液熱交換器（３００）との間の領域（２８２）における分岐点（２８２Ｂ）で分岐する分岐ライン（２５１Ｓ）に介装されており、該分岐ライン（２５１Ｓ）は低温溶液熱交換器（３００）、中温溶液熱交換器（３０２）、高温溶液熱交換器（３０４）をバイパスし且つ高温溶液熱交換器（３０４）と第１の熱交換器（２２０）の間の合流点（２８７Ｇ）で高温再生器（２０２）に向う吸収溶液ラインと合流し、
第１〜第３の熱交換器（２２０、２３２、２２７Ｃ）は、外部熱源（Ｑ１、Ｑ９、Ｑ１４）に連通されて、高温再生器（２０２）に向う吸収溶液ラインを流過する吸収溶液に外部熱源（Ｑ１、Ｑ９、Ｑ１４）からの熱量が投入される様に構成されていることを特徴としている（請求項６：図６）。
【００１２】
また本発明の吸収冷温水機は、高温再生器（２０２）と、中温再生器（２０４）と、低温再生器（２０６）と、吸収器（２０８）と、凝縮器（２１０）と、蒸発器（２１２）とを有し、高温再生器（２０２）には加熱用熱源（Ｂｎ）が付設され、加熱用熱源（Ｂｎ）から供給される熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から高温再生器（２０２）に向う吸収溶液ラインには低温溶液熱交換器（３００）、中温溶液熱交換器（３０２）、高温溶液熱交換器（３０４）が介装され、高温溶液熱交換器（３０４）は高温再生器（２０２）から中温再生器（２０４）へ向う吸収溶液ライン（１０４）を流れる吸収溶液が保有する熱量を高温再生器（２０２）に向う吸収溶液に投入する様に構成され、中温溶液熱交換器（３０２）は中温再生器（２０４）から低温再生器（２０６）に向う吸収溶液ラインを流れる吸収溶液が保有する熱量を高温再生器（２０２）に向う吸収溶液に投入する様に構成され、低温溶液熱交換器（３００）は低温再生器（２０６）から吸収器（２０８）に向う吸収溶液ライン（３２２）を流れる吸収溶液が保有する熱量を高温再生器（２０２）に向う吸収溶液に投入する様に構成され、
吸収器（２０８）から高温再生器（２０２）に連通する吸収溶液ライン（２８２、２８６）が、低温溶液熱交換器（３００）と中温溶液熱交換器（３０２）との間の領域で低温再生器（２０６）に連通する第１の分岐吸収溶液ライン（３０６）が分岐（３０８）しており、中温溶液熱交換器（３０２）と高温溶液熱交換器（３０４）との間の領域で中温再生器（２０４）に連通する第２の分岐吸収溶液ライン（３１０）が分岐（３１１）しており、高温再生器（２０２）で加熱された吸収溶液が流れる吸収溶液ライン（３４０）は中温再生器（２０４）に連通しており、中温再生器（２０４）で加熱された吸収溶液が流れる吸収溶液ライン（３１８）は第１の分岐吸収溶液ライン（３０６）に合流して低温再生器（２０６）に連通しており、
高温再生器（２０２）に向う吸収溶液ラインには第１〜第９の熱交換器（２２０、２２２、２２３Ａ、２２４、２２６、２２７、２２８、２３０、２３２）を介装しており、
第１の熱交換器（２２０）は、高温溶液熱交換器（３０４）と高温再生器（２０２）の間の領域（２５２）に介装され、
第２の熱交換器（２２２）は、第２の分岐吸収溶液ライン（３１０）の分岐部（３１１）と高温溶液熱交換器（３０４）の間における第１の分岐点（２４６Ｂ）で分岐する第１の分岐ライン（２５０）に介装されており、該第１の分岐ライン（２５０）は高温溶液熱交換器（３０４）をバイパスし且つ高温溶液熱交換器（３０４）と第１の熱交換器（２２０）の間の第１の合流点（２４６Ｇ）で高温再生器（２０２）に向う吸収溶液ラインと合流し、
第３の熱交換器（２２３Ａ）は、第２の分岐吸収溶液ライン（３１０）の分岐部（３１１）と第１の分岐点（２４６Ｂ）との間の領域（２８６）に介装され、
第４の熱交換器（２２４）は、中温溶液熱交換器（３０２）と第２の分岐吸収溶液ライン（３１０）の分岐部（３１１）との間の領域に介装され、
第５の熱交換器（２２６）は、第１の分岐吸収溶液ライン（３０６）の分岐部（３０８）と中温溶液熱交換器（３０２）の間における第２の分岐点（２４０Ｂ）で分岐する第２の分岐ライン（２４４）に介装されており、該第２の分岐ライン（２４４）は中温溶液熱交換器（３０２）をバイパスし且つ中温溶液熱交換器（３０２）と第４の熱交換器（２２４）の間の第２の合流点（２４２Ｇ）で高温再生器（２０２）に向う吸収溶液ラインと合流し、
第６の熱交換器（２２７）は、第１の分岐吸収溶液ライン（３０６）の分岐部（３０８）と第２の分岐点（２４０Ｂ）との間の領域に介装され、
第７の熱交換器（２２８）は、高温再生器（２０２）に向う吸収溶液ラインの低温溶液熱交換器（３００）と第１の分岐吸収溶液ライン（３０６）の分岐部（３０８）との間の領域に介装され、
第８の熱交換器（２３０）は、吸収溶液ポンプ（１０２）と低温溶液熱交換器（３００）の間における第３の分岐点（２８２Ｂ）で分岐する第３の分岐ライン（２８３）に介装されており、該第３の分岐ライン（２８３）は低温溶液熱交換器（３００）をバイパスし且つ低温溶液熱交換器（３００）と第７の熱交換器（２２８）の間の第３の合流点（２８３Ｇ）で高温再生器（２０２）に向う吸収溶液ラインと合流し、
第９の熱交換器（２３２）は、吸収溶液ポンプ（１０２）と第３の分岐点（２８２Ｂ）との間の領域（２３５）に介装されており、
第１〜第９の熱交換器（２２０、２２２、２２３Ａ、２２４、２２６、２２７、２２８、２３０、２３２）は、外部熱源（Ｑ１〜Ｑ９）に連通されて、高温再生器（２０２）に向う吸収溶液ラインを流過する吸収溶液に外部熱源（Ｑ１〜Ｑ９）からの熱量が投入される様に構成されていることを特徴としている（請求項７：図７）。
【００１３】
そして本発明の吸収冷温水機は、高温再生器（２０２）と、中温再生器（２０４）と、低温再生器（２０６）と、吸収器（２０８）と、凝縮器（２１０）と、蒸発器（２１２）とを有し、高温再生器（２０２）には加熱用熱源（Ｂｎ）が付設され、加熱用熱源（Ｂｎ）から供給される熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から高温再生器（２０２）に向う吸収溶液ラインには低温溶液熱交換器（３００）、中温溶液熱交換器（３０２）、高温溶液熱交換器（３０４）が介装され、高温溶液熱交換器（３０４）は高温再生器（２０２）から中温再生器（２０４）へ向う吸収溶液ライン（１０４）を流れる吸収溶液が保有する熱量を高温再生器（２０２）に向う吸収溶液に投入する様に構成され、中温溶液熱交換器（３０２）は中温再生器（２０４）から低温再生器（２０６）に向う吸収溶液ラインを流れる吸収溶液が保有する熱量を高温再生器（２０２）に向う吸収溶液に投入する様に構成され、低温溶液熱交換器（３００）は低温再生器（２０６）から吸収器（２０８）に向う吸収溶液ラインを流れる吸収溶液が保有する熱量を高温再生器（２０２）に向う吸収溶液に投入する様に構成され、
吸収器（２０８）から高温再生器（２０２）に連通する吸収溶液ライン（２８２、２８６）が、低温溶液熱交換器（３００）と中温溶液熱交換器（３０２）との間の領域で低温再生器（２０６）に連通する第１の分岐吸収溶液ライン（３０６）が分岐（３０８）しており、中温溶液熱交換器（３０２）と高温溶液熱交換器（３０４）との間の領域で中温再生器（２０４）に連通する第２の分岐吸収溶液ライン（３１０）が分岐（３１１）しており、高温再生器（２０２）で加熱された吸収溶液が流れる吸収溶液ライン（３４０）は中温再生器（２０４）に連通しており、中温再生器（２０４）で加熱された吸収溶液が流れる吸収溶液ライン（３１８）は第１の分岐吸収溶液ライン（３０６）に合流して低温再生器（２０６）に連通しており、
高温再生器（２０２）に向う吸収溶液ラインには第１〜第３の熱交換器（２２０、２３２、２２７Ｃ）を介装しており、
第１の熱交換器（２２０）は、高温溶液熱交換器（３０４）と高温再生器（２０２）の間の領域に介装され、
第２の熱交換器（２３２）は、吸収溶液ポンプ（１０２）と低温溶液熱交換器（３００）との間の領域に介装されており、
第３の熱交換器（２２７Ｃ）は、吸収溶液ポンプ（１０２）と低温溶液熱交換器（３００）との間の領域における分岐点（２８２Ｂ）で分岐する分岐ライン（２５１Ｓ）に介装されており、該分岐ライン（２５１Ｓ）は低温溶液熱交換器（３００）、中温溶液熱交換器（３０２）、高温溶液熱交換器（３０４）をバイパスし且つ高温溶液熱交換器（３０４）と第１の熱交換器（２２０）の間の合流点（２８７Ｇ）で高温再生器（２０２）に向う吸収溶液ラインと合流し、
第１〜第３の熱交換器（２２０、２３２、２２７Ｃ）は、外部熱源（Ｑ１、Ｑ９、Ｑ１４）に連通されて、高温再生器（２０２）に向う吸収溶液ラインを流過する吸収溶液に外部熱源（Ｑ１、Ｑ９、Ｑ１４）からの熱量が投入される様に構成されていることを特徴としている（請求項８：図８）。
【００１４】
係る構成を具備する本発明によれば、前記加熱用熱源（Ｂｎ）で高温再生器（２０２）が加熱されて吸収溶液が再生され、吸収器（２０８）から出て高温再生器（２０２）、中温再生器（２０４）、低温再生器（２０６）の何れか１つに連通する吸収溶液ライン（２３４、２３８、２４０、２４４、２４６、２５０、２５２）に設けられた熱交換器（２２０、２２２、２２、２２４、２２６、２２８、２３０、２３２）に、当該熱交換器が連通する外部熱源（Ｑ１〜Ｑ７）から、例えば排熱等の形態の熱量が投入されて、吸収溶液が加熱される。
すなわち、従来技術では系の外部にあって利用されなかった排熱が保有する熱量が、再生器（２０２、２０４、２０６）に向けて流れている吸収溶液（再生器に供給される吸収溶液）に投入されて、該吸収溶液の顕熱上昇に有効利用される。
ここで、前記熱交換器（例えば、排熱熱交換器）が連通する外部熱源は、単一の熱源であってもよいし、複数（前記排熱熱交換器と同一数あるいはそれより少ない数）の複数熱源であってもよい。
【００１５】
そして、再生器（２０２、２０４、２０６）に供給される吸収溶液の液温が昇温する（顕熱上昇）結果として、冷媒蒸気（水蒸気）の再生量が同一であれば、再生器（２０２、２０４、２０６）で投入される熱量を減少させることができ、吸収冷温水機の効率が向上するのである。
【００１６】
【発明の実施の形態】
以下、添付図面を参照して、本発明を３重効用吸収冷温水機に適用した実施形態を説明する。なお、添付図面において、同様な部材には同様な符号を付して、部材名称と符号の重複説明を省略している。
【００１７】
図１は、第１の実施形態であるシリーズフロータイプ吸収冷温水機Ｓ１の構成を示している。
【００１８】
吸収器２０８と高温再生器２０２は、ポンプ１０２を介した吸収溶液ライン２３４で連通され、高温再生器２０２と中温再生器２０４とは吸収溶液ライン１０４と、第１の冷媒蒸気ライン２１６で連通されている。
【００１９】
第１の冷媒蒸気ライン２１６は、ライン内を通過する冷媒蒸気が保有する熱量が、中温再生器２０４内の吸収溶液に投入されて冷媒蒸気が再生されるよう構成されている。
【００２０】
中温再生器２０４と低温再生器２０６とは吸収溶液ライン１０６と第２の冷媒蒸気ライン２１８で連通されている。
第２の冷媒蒸気ライン２１８は、ライン内を通過する冷媒蒸気が保有する熱量が、低温再生器２０６内の吸収溶液に投入されて冷媒蒸気が再生されるよう構成されている。
【００２１】
低温再生器２０６と吸収器２０８は、吸収溶液ライン１０８で連通されている。
吸収溶液ライン１０４に高温溶液熱交換器３０４が介装され、吸収溶液ライン１０６に中温溶液熱交換器３０２が介装され、吸収溶液ライン１０８に低温溶液熱交換器３００が介装されている。
【００２２】
高温溶液熱交換器３０４、中温溶液熱交換器３０２及び低温溶液熱交換器３００は、何れも吸収溶液ライン２３４と熱的に接触し、吸収溶液ライン２３４に伝熱させるよう構成されている。
【００２３】
高温再生器２０２に、加熱用熱源であるバーナーＢｎが付設され、ライン２１４によって燃料Ｑ０がバーナーＢｎに供給されるよう構成されている。
なお、加熱用熱源は、バーナーＢｎに限定されるものでなく、電熱ヒーター、蒸気ヒーター等であってもよい。
【００２４】
排熱熱交換器２２０は、吸収溶液ライン２３４の高温溶液熱交換器３０４と高温再生器２０２との間の領域２５２に介装され、ライン５１０によって外部排熱源Ｑ１に連通されている。
【００２５】
排熱熱交換器２２２は、吸収溶液ライン２３４の高温溶液熱交換器３０４を分岐部２４６Ｂと合流部２４６Ｇでバイパスする領域２５０に介装され、ライン５２０によって外部排熱源Ｑ２に連通されている。
【００２６】
排熱熱交換器２２４は、吸収溶液ライン２３４の高温溶液熱交換器３０４と中温溶液熱交換器３０２との間の領域２４６に介装され、ライン５３０によって外部排熱源Ｑ３に連通されている。
【００２７】
排熱熱交換器２２６は、吸収溶液ライン２３４の中温溶液熱交換器３０２を分岐部２４０Ｂと合流部２４２Ｇでバイパスする領域２４４に介装され、ライン５４０によって外部排熱源Ｑ４に連通されている。
【００２８】
排熱熱交換器２２８は、吸収溶液ライン２３４の中温溶液熱交換器３０２と低温溶液熱交換器３００との間の領域２４０に介装され、ライン５５０によって外部排熱源Ｑ５に連通されている。
【００２９】
排熱熱交換器２３０は、吸収溶液ライン２３４の低温溶液熱交換器３００を分岐部２３４Ｂと合流部２３６Ｇでバイパスする領域２３８に介装され、ライン５６０によって外部排熱源Ｑ６に連通されている。
【００３０】
排熱熱交換器２３２は、吸収溶液ライン２３４の低温溶液熱交換器３００と吸収器２０８との間の領域２３５に介装され、ライン５７０によって外部排熱源Ｑ７に連通されている。
【００３１】
上記各排熱熱交換器２２０、２２２、２２４、２２６、２２８、２３０、２３２は、これらに連通する外部排熱源Ｑ１〜Ｑ７のそれぞれの温度が、熱的に対象となる吸収溶液ライン２３４の温度より高温であることが必要条件である。
したがって、吸収冷温水機Ｓ１の温度状況、空調負荷、バーナー加熱温度、外気条件及び外部排熱源Ｑ１〜Ｑ７の温度等によって、各排熱熱交換器２２０、２２２、２２４、２２６、２２８、２３０、２３２の何れか１つあるいは全数を含む何れか複数が作動するよう介装されている。
【００３２】
図示の実施形態において、排熱熱交換器２２０、２２２、２２４、２２６、２２８、２３０、２３２が介装されているが、実施に際しては、当該排熱熱交換器は、上述した全てを介装しなくてもよい。換言すれば、図示の排熱熱交換器２２０、２２２、２２４、２２６、２２８、２３０、２３２は、そのうちの１つ或いは複数が介装されていれば良い。勿論全てを介装しても良い。
【００３３】
なお、外部排熱源Ｑ１〜Ｑ７のそれぞれと、排熱熱交換器２２０、２２２、２２４、２２６、２２８、２３０、２３２とを、個々に連通させることは必須でなく、熱の逆流等の不都合な現象が発生すること無く、外部熱源から吸収溶液に対して熱量を投入するという機能が発揮されるなら、単一熱源を複数の熱交換器にシリーズに連通させて、熱量を供給してもよいし、パラレルに連通して熱量を供給してもよい。即ち、熱交換の可能な連通の組み合わせを自由に選択してよい。
【００３４】
上記吸収冷温水機Ｓ１の作用を、各排熱熱交換器２２０、２２２、２２４、２２６、２２８、２３０、２３２の全てが介装されている例について説明する。
【００３５】
吸収器２０８からポンプ１０２で吸収溶液ライン２３４に吐出された冷媒を含む低温の稀釈吸収溶液Ｌｉは、排熱熱交換器２３２で外部排熱Ｑ７によって加熱され昇温し、分岐部２３４Ｂで分岐して、一方は領域２３８を通過して排熱熱交換器２３０で外部排熱Ｑ６によって加熱され昇温し、分岐部２３４Ｂで直行の他方の吸収溶液Ｌｉは低温溶液熱交換器３００を通過して加熱され昇温し、合流部２３６Ｇで合流する。
【００３６】
なお、分岐部２３４Ｂでの吸収溶液Ｌｉの分岐割合は、低温溶液熱交換器３００からの受熱と、排熱熱交換器２３０からの受熱の合計熱量が最大となって合流部２３６Ｇでの吸収溶液Ｌｉ温度が最大になるように配分される。
【００３７】
合流部２３６Ｇを通過した吸収溶液Ｌｉは、排熱熱交換器２２８を通過して外部排熱Ｑ５によって加熱され昇温し、分岐部２４０Ｂで分岐して、一方は領域２ ４４を通過して排熱熱交換器２２６で外部排熱Ｑ４によって加熱され昇温し、分岐部２４０Ｂで直行の他方の吸収溶液Ｌｉは中温溶液熱交換器３０２を通過して加熱され昇温し、合流部２４２Ｇで合流する。分岐部２４０Ｂでの吸収溶液Ｌｉの分岐割合は、分岐部２３４Ｂでの分岐と同じ要領である。
【００３８】
合流部２４２Ｇを通過した吸収溶液Ｌｉは、排熱熱交換器２２４を通過して外部排熱Ｑ３によって加熱され昇温し、分岐部２４６Ｂで分岐して、 一方は領域２５０を通過して排熱熱交換器２２２で外部排熱Ｑ２によって加熱され昇温し、分岐部２４６Ｂで直行の他方の吸収溶液Ｌｉは高温溶液熱交換器３０４を通過して加熱され昇温し、合流部２４６Ｇで合流する。分岐部２４６Ｂでの吸収溶液Ｌｉの分岐割合は、分岐部２３４Ｂでの分岐と同じ要領である。
【００３９】
合流部２４６Ｇを通過した吸収溶液Ｌｉは、排熱熱交換器２２０を通過して外部排熱Ｑ１によって加熱され昇温し、高温再生器２０２に導入される。
【００４０】
冷媒溶液を含んだ稀釈吸収溶液Ｌｉは、高温再生器２０２でバーナーＢｎにより加熱され、冷媒溶液を蒸気として分離されて濃縮された吸収溶液Ｌｉは、吸収溶液ライン１０４によって高温溶液熱交換器３０４で放熱し中温再生器２０４に導入される。
【００４１】
濃縮された吸収溶液Ｌｉは、中温再生器２０４で第１の冷媒蒸気ライン２１６からの冷媒蒸気によって加熱され、さらに冷媒溶液を蒸気として分離されて濃縮された吸収溶液Ｌｉは、吸収溶液ライン１０６に向かう。
吸収溶液ライン１０６に導かれた吸収溶液Ｌｉは、中温溶液熱交換器３０２で放熱し低温再生器２０６に導入される。
低温再生器２０６に導入された吸収溶液Ｌｉは冷媒溶液を蒸気として分離され一層濃縮されて、吸収溶液ライン１０８に導かれ低温溶液熱交換器３００で放熱し、吸収器２０８に戻る。
【００４２】
一方、高温再生器２０２で蒸発分離された冷媒ｈ２は、第１の冷媒蒸気ライン２１６を介して中温再生器２０４で放熱して吸収溶液Ｌｉをさらに加熱し、凝縮器２１０に向かう。また、中温再生器２０４で蒸発分離された冷媒ｈ３は、低温再生器２０６で放熱して吸収溶液Ｌｉを加熱し、第１の冷媒蒸気ライン２１６に合流して凝縮器２１０に向かう。
【００４３】
凝縮器２１０に導かれた冷媒ｈ２、ｈ３は、凝縮され、蒸発器２１２で蒸発して外部流体と熱交換する。また、吸収器２０８で冷媒が外部流体と熱交換する。
【００４４】
このようにして、高温再生器２０２にバーナーＢｎで熱量を供給して加熱することに加え、外部の排熱を希釈吸収溶液Ｌｉの加熱に利用することで吸収冷温水機Ｓ１の熱効率を向上させている。
【００４５】
図２は、第２の実施形態であるシリーズフロータイプの吸収冷温水機Ｓ４の構成を示している。図1 の実施形態と異なる部分を主体に説明する。
【００４６】
排熱熱交換器２２５は、吸収溶液ライン２３４の排熱熱交換器２２０と高温溶液熱交換器３０４との間と、低温溶液熱交換器３００と排熱熱交換器２３２との間を、分岐部２３４Ｂと合流部２４６Ｇでバイパスする領域２３６Ｑに介装されライン６１０によって外部排熱源Ｑ１０に連通されている。
【００４７】
排熱熱交換器２２５の前後に装着されている排熱熱交換器２３２と２２０への排熱熱交換器２２５の連通関係は、図１における排熱熱交換器２３０、２２８、２２６、２２２に代えて、排熱熱交換器２２５を介装した状態である。
上記を除いては、前記図１の構成と同じである。
【００４８】
各排熱熱交換器２２０、２２５、２３２は、これらに連通する外部排熱源Ｑ１、Ｑ１０、Ｑ７のそれぞれの温度が、熱的に対象となる吸収溶液ライン２３４の温度より高温であることが必要条件である。
したがって、吸収冷温水機Ｓ３の温度状況、空調負荷、バーナー加熱温度、外気条件及び外部排熱源Ｑ１、Ｑ１０、Ｑ７の温度等によって、各排熱熱交換器２２０、２２５、２３２の何れか１つあるいは全数を含む何れか複数が作動するよう介装されている。
【００４９】
あるいは、図示の実施形態において、排熱熱交換器２２０、２２５、２３２の全てを介装しなくてもよい。換言すれば、図示の排熱熱交換器２２０、２２５、２３２は、そのうちの１つ或いは複数が介装されていればよく、全てを介装する必要はない。もちろん、全ての排熱熱交換器２２０、２２５、２３２を介装してもよい。
【００５０】
外部排熱源Ｑ１、Ｑ１０、Ｑ７のそれぞれと、排熱熱交換器２２０、２２５、２３２とを、個々に連通させることは必須でなく、熱交換器の機能が果たされるなら１つの熱源で複数の熱交換器にシリーズに熱量を供給してもよいし、パラレルに熱量を供給してもよい。即ち、熱交換の可能な連通の組み合わせを自由に選択してよい。
【００５１】
上記吸収冷温水機Ｓ４の作用を、排熱熱交換器２２５が介装されている周辺を主体にして説明する。
吸収器２０８からポンプ１０２で吸収溶液ライン２３４に吐出された冷媒を含む低温の稀釈吸収溶液Ｌｉは、排熱熱交換器２３２で外部排熱Ｑ７により加熱され昇温し、分岐部２３４Ｂで分岐して、一方は領域２３６Ｑを通過して排熱熱交換器２２５で外部排熱Ｑ１０により加熱され昇温し、分岐部２３４Ｂで直行の他方の吸収溶液Ｌｉは低温溶液熱交換器３００、中低温溶液熱交換器３０２及び高温溶液熱交換器３０４を通過して加熱され昇温し、合流部２４６Ｇで合流する。
【００５２】
合流部２４６Ｇを通過した吸収溶液Ｌｉは、排熱熱交換器２２０を通過して外部排熱Ｑ１により加熱され昇温して、高温再生器２０２方向に向かう。
高温再生器２０２からの吸収溶液Ｌｉ及び冷媒ｈ２、ｈ３の作動経路は、図１の実施形態と同じである。
【００５３】
上記のようにして、吸収冷温水機の特性に応じて、排熱熱交換器の個数を少数にして、かつ熱効率を向上させる。
【００５４】
図３は、第３の実施形態であるリバースフロータイプの吸収冷温水機ＲＳ５の構成を示している。図１の実施形態と異なる部分を主体に説明する。
【００５５】
稀釈吸収溶液の往路を構成する吸収器２０８と低温再生器２０６は、ポンプ１０２を介した吸収溶液ライン２３４、２３５、２３６、３８２で連通され、低温再生器２０６と中温再生器２０４とは吸収溶液ライン３８４、２４２、３８５で連通され、中温再生器２０４と高温再生器２０２とは吸収溶液ライン３８６、２４８、２５２で連通されている。
【００５６】
吸収溶液の復路を構成する高温再生器２０２と吸収器２０８は、吸収溶液ライン１１０で連通されている。
吸収溶液ライン１１０に高温再生器２０２側から高温溶液熱交換器３０４、中温溶液熱交換器３０２、低温溶液熱交換器３００が介装されている。
【００５７】
吸収溶液ライン３８６と２５２間の領域２４８は、高温溶液熱交換器３０４を貫通して熱的に接触されている。領域２４８に、分岐部２４６Ｂと合流部２４６Ｇで高温溶液熱交換器３０４をバイパスする領域２５０が連通されている。
【００５８】
吸収溶液ライン３８４と３８５の中間部領域２４２は、中温溶液熱交換器３０２を貫通して復路の吸収ライン１１０に、熱的に接触されている。領域２４２に、分岐部２４０Ｂと合流部２４２Ｇで中温溶液熱交換器３０２をバイパスする領域２４４が連通されている。
【００５９】
吸収溶液ライン２３５と３８２の中間部領域２３６は、低温溶液熱交換器３００を貫通して吸収ライン１１０に、熱的に接触されている。領域２３６に、分岐部２３４Ｂと合流部２３６Ｇで低温溶液熱交換器３００をバイパスする領域２３８が連通されている。
【００６０】
高温溶液熱交換器３０４、中温溶液熱交換器３０２及び低温溶液熱交換器３００は、それぞれ吸収溶液から稀釈吸収溶液に熱的に接触し、稀釈吸収溶液に伝熱させるよう構成されている。
【００６１】
高温再生器２０２に、加熱用熱源であるバーナーＢｎが付設され、ライン２１４によって燃料Ｑ０がバーナーＢｎに供給されるよう構成されている。
なお、加熱用熱源は、バーナーＢｎに限定されるものでなく、電熱ヒーター、蒸気ヒーター等であってもよい。
【００６２】
排熱熱交換器２２０は、吸収溶液ライン２３４の高温溶液熱交換器３０４と高温再生器２０２との間の領域２５２に介装され、ライン５１０によって外部排熱源Ｑ１に連通されている。
【００６３】
排熱熱交換器２２２は、高温溶液熱交換器３０４をバイパスする領域２５０に介装され、ライン５２０によって外部排熱源Ｑ２に連通されている。
排熱熱交換器２２４Ａは、高温溶液熱交換器３０４と中温再生器２０４との間の領域３８６に介装され、ライン５３０によって外部排熱源Ｑ３に連通されている。
【００６４】
排熱熱交換器２２４Ｂは、中温再生器２０４と中温溶液熱交換器３０２との間の領域３８５に介装され、ライン５４０によって外部排熱源Ｑ４に連通されている。
【００６５】
排熱熱交換器２２６は、中温溶液熱交換器３０２をバイパスする領域２４４に介装され、ライン５５０によって外部排熱源Ｑ５に連通されている。
【００６６】
排熱熱交換器２２８Ａは、中温溶液熱交換器３０２と低温再生器２０６との間の領域３８４に介装され、ライン５６０によって外部排熱源Ｑ６に連通されている。
【００６７】
排熱熱交換器２２８Ｂは、低温再生器２０６と低温溶液熱交換器３００との間の領域３８２に介装され、ライン５７０によって外部排熱源Ｑ７に連通されている。
排熱熱交換器２３０は、低温溶液熱交換器３００をバイパスする領域２３８に介装され、ライン５８０によって外部排熱源Ｑ８に連通されている。
【００６８】
排熱熱交換器２３２は、吸収器２０８と低温溶液熱交換器３００との間の領域２３５に介装され、ライン５９０によって外部排熱源Ｑ９に連通されている。
上記以外の冷媒蒸気ライン等は、図１の構成と同じである。
【００６９】
各排熱熱交換器２２０、２２２、２２４Ａ、２２４Ｂ、２２６、２２８Ａ、２２８Ｂ、２３０、２３２は、これらに連通する外部排熱源Ｑ１〜Ｑ９のそれぞれの温度が、熱的に対象となる吸収溶液ライン２３４の温度より高温であることが必要条件である。
【００７０】
したがって、吸収冷温水機ＲＳ５の温度状況、空調負荷、バーナー加熱温度、外気条件及び外部排熱源Ｑ１〜Ｑ９の温度等によって、各排熱熱交換器２２０、２２２、２２４Ａ、２２４Ｂ、２２６、２２８Ａ、２２８Ｂ、２３０、２３２の何れか１つあるいは全数を含む何れか複数が介装されている。
【００７１】
あるいは、図示の実施形態において、排熱熱交換器２２０、２２２、２２４Ａ、２２４Ｂ、２２６、２２８Ａ、２２８Ｂ、２３０、２３２の全てを介装しなくてもよい。換言すれば、図示の排熱熱交換器２２０、２２２、２２４Ａ、２２４Ｂ、２２６、２２８Ａ、２２８Ｂ、２３０、２３２は、そのうちの１つ或いは複数が介装されていればよく、全てを介装する必要はない。もちろん、全ての排熱熱交換器２２０、２２２、２２４Ａ、２２４Ｂ、２２６、２２８Ａ、２２８Ｂ、２３０、２３２を介装してもよい。
【００７２】
外部排熱源Ｑ１〜Ｑ９のそれぞれと、排熱熱交換器２２０、２２２、２２４Ａ、２２４Ｂ、２２６、２２８Ａ、２２８Ｂ、２３０、２３２とを、個々に連通させることは必須でなく、熱交換器の機能が果たされるなら１つの熱源で複数の熱交換器にシリーズに熱量を供給してもよいし、パラレルに熱量を供給してもよい。即ち、熱交換の可能な連通の組み合わせを自由に選択してよい。
【００７３】
上記吸収冷温水機ＲＳ５の作用を、各排熱熱交換器２２０、２２２、２２４Ａ、２２４Ｂ、２２６、２２８Ａ、２２８Ｂ、２３０、２３２の全てが介装されている例について説明する。
【００７４】
吸収器２０８からポンプ１０２で吸収溶液ライン２３４に吐出された冷媒を含む低温の稀釈吸収溶液Ｌｉは、排熱熱交換器２３２で排熱Ｑ９によって加熱され昇温し、分岐部２３４Ｂで分岐して、 一方は領域２３８を通過して排熱熱交換器２３０で排熱Ｑ８によって加熱され昇温し、分岐部２３４Ｂで直行の他方の吸収溶液Ｌｉは低温溶液熱交換器３００を通過して加熱され昇温し、合流部２３６Ｇで合流する。
【００７５】
なお、分岐部２３４Ｂでの吸収溶液Ｌｉの分岐割合は、低温溶液熱交換器３００からの受熱と、排熱熱交換器２３０からの受熱の合計熱量が最大となって合流部２３６Ｇでの吸収溶液Ｌｉ温度が最大になるように配分される。
【００７６】
合流部２３６Ｇを通過した稀釈吸収溶液Ｌｉは、排熱熱交換器２２８Ｂを通過して排熱Ｑ７によって加熱され昇温し、低温再生器２０６に導入される。
低温再生器２０６で加熱され昇温した稀釈吸収溶液Ｌｉは、吸収溶液ライン３８４を介して排熱熱交換器２２８Ａで排熱Ｑ６によって加熱され昇温して分岐部２４０Ｂに向かう。分岐部２４０Ｂで分岐した一方の稀釈吸収溶液Ｌｉは領域２４４を通過して排熱熱交換器２２６で排熱Ｑ５によって加熱され昇温し、分岐部２４０Ｂで直行の他方の稀釈吸収溶液Ｌｉは中温溶液熱交換器３０２を通過して加熱され昇温し、合流部２４２Ｇで合流する。
【００７７】
なお、分岐部２４０Ｂでの吸収溶液Ｌｉの分岐割合は、前記分岐部２３４Ｂにおける分岐要領と同様である
【００７８】
合流部２４２Ｇを通過した稀釈吸収溶液Ｌｉは、排熱熱交換器２２４Ｂを通過して排熱Ｑ４によって加熱され昇温し中温再生器２０４で冷媒蒸気に加熱され、冷媒の１部が蒸発分離されて濃縮される。
【００７９】
中温再生器２０４で濃縮された吸収溶液Ｌｉは、溶液ラインの領域３８６を介して排熱熱交換器２２４Ａで排熱Ｑ３によって加熱され昇温して、分岐部２４６Ｂに向かう。
分岐部２４６Ｂで分岐した吸収溶液Ｌｉの一方は領域２５０を通過して排熱熱交換器２２２で排熱Ｑ２によって加熱され昇温し、分岐部２４６Ｂで直行の他方の吸収溶液Ｌｉは高温溶液熱交換器３０４を通過して加熱され昇温し、合流部２４６Ｇで合流する。
【００８０】
なお、分岐部２４６Ｂでの吸収溶液Ｌｉの分岐割合は、前記分岐部２３４Ｂにおける分岐要領と同様である。
【００８１】
合流部２４６Ｇを通過した吸収溶液Ｌｉは、排熱熱交換器２２０を通過して排熱Ｑ１によって加熱され昇温し、高温再生器２０２に導入される。
【００８２】
冷媒溶液を含んだ稀釈吸収溶液Ｌｉは、高温再生器２０２でバーナーＢｎにより加熱され、冷媒溶液を蒸気として分離される。濃縮された吸収溶液Ｌｉは、吸収溶液ライン１１０を介して、高温溶液熱交換器３０４、中温溶液熱交換器３０２、低温溶液熱交換器３００で放熱し、吸収器２０８に導入される。
【００８３】
このようにして、高温再生器２０２にバーナーＢｎで熱量を供給して加熱することに加え、外部の排熱を希釈吸収溶液Ｌｉの加熱に利用することで吸収冷温水機Ｓ５の熱効率を向上させている。
【００８４】
図４は、第４の実施形態であるリバースパラレルタイプの吸収冷温水機ＲＰ６の構成を示している。図３の実施形態と異なる部分を主体に説明する。
低温再生器２０６と中温再生器２０４を連通する吸収溶液ライン２６２の排熱熱交換器２２８の手前に、分岐部２６４が設けられ、分岐ライン２６８が取りつけられている。分岐ライン２６８は、高温再生器２０２と吸収器２０８を連通する吸収溶液ライン１１０の中温溶液熱交換器３０２と低温溶液熱交換器３００の間の合流部２６６に連通されている。
【００８５】
また、中温再生器２０４と高温再生器２０２を連通する吸収溶液ライン２７０の排熱熱交換器２２４の手前に、分岐部２７２が設けられ、分岐ライン２７６が取りつけられている。分岐ライン２７６は、中温溶液熱交換器３０２と高温溶液熱交換器３０４との間の合流部２７４に連通されている。
その他の構成は、図３の吸収冷温水機ＲＳ５と同じである。
【００８６】
各排熱熱交換器２２０、２２２、２２４、２２４Ｂ、２２６、２２８Ａ、２２８Ｂ、２３０、２３２は、これらに連通する外部排熱源Ｑ１〜Ｑ９の温度が、熱的に対となる吸収溶液の温度より高温であることが必要条件である。したがって、吸収冷温水機ＲＰ６の温度状況、空調負荷、バーナー加熱温度、外気条件及び外部排熱源Ｑ１〜Ｑ９の温度等によって、各排熱熱交換器２２０、２２２、２２４Ａ、２２４Ｂ、２２６、２２８Ａ、２２８Ｂ、２３０、２３２の何れか１つあるいは全数を含む何れか複数が介装されている。
【００８７】
あるいは、図示の実施形態において、排熱熱交換器２２０、２２２、２２４Ａ、２２４Ｂ、２２６、２２８Ａ、２２８Ｂ、２３０、２３２の全てを介装しなくてもよい。換言すれば、図示の排熱熱交換器２２０、２２２、２２４Ａ、２２４Ｂ、２２６、２２８Ａ、２２８Ｂ、２３０、２３２は、そのうちの１つ或いは複数が介装されていればよく、全てを介装する必要はない。もちろん、全ての排熱熱交換器２２０、２２２、２２４Ａ、２２４Ｂ、２２６、２２８Ａ、２２８Ｂ、２３０、２３２を介装してもよい。
【００８８】
外部排熱源Ｑ１〜Ｑ９のそれぞれと、排熱熱交換器２２０、２２２、２２４Ａ、２２４Ｂ、２２６、２２８Ａ、２２８Ｂ、２３０、２３２とを、個々に連通させることは必須でなく、熱交換器の機能が果たされるなら１つの熱源で複数の熱交換器にシリーズに熱量を供給してもよいし、パラレルに熱量を供給してもよい。即ち、熱交換の可能な連通の組み合わせを自由に選択してよい。
【００８９】
上記吸収冷温水機ＲＰ６の作用を、分岐ライン２６８、２７６が取りつけられている周辺を主体にして説明する。
吸収器２０８からポンプ１０２で吸収溶液ライン２３４に吐出された冷媒を含む低温の稀釈吸収溶液Ｌｉは、排熱熱交換器２３２で排熱Ｑ９によって加熱され昇温し、分岐部２３４Ｂで分岐して、一方は領域２３８を通過して排熱熱交換器２３０で排熱Ｑ８によって加熱され昇温し、分岐部２３４Ｂで直行の他方の吸収溶液Ｌｉは低温溶液熱交換器３００を通過して加熱され昇温し、合流部２３６Ｇで合流する。
【００９０】
なお、分岐部２３４Ｂでの吸収溶液Ｌｉの分岐割合は、低温溶液熱交換器３００からの受熱と、排熱熱交換器２３０からの受熱の合計熱量が最大となって合流部２３６Ｇでの吸収溶液Ｌｉ温度が最大になるように配分される。
【００９１】
合流部２３６Ｇを通過した稀釈吸収溶液Ｌｉは、排熱熱交換器２２８Ｂを通過して排熱Ｑ７によって加熱され昇温し、低温再生器２０６に導入される。
【００９２】
低温再生器２０６で加熱され少し濃縮された稀釈吸収溶液Ｌｉは吸収溶液ライン２６２の分岐部２６４に向かう。分岐部２６４で分岐された稀釈吸収溶液Ｌｉの一部は、分岐ライン２６８を介して合流部２６６で吸収溶液Ｌｉの流れる吸収溶液ライン１１０に入り、吸収器２０８に導入される。分岐部２６４を直行通過した稀釈吸収溶液Ｌｉは排熱熱交換器２２８を通過して排熱Ｑ７によって加熱され昇温し、中温溶液熱交換器３０２を通過して加熱され昇温し、中温再生器２０４に向かう。
【００９３】
中温再生器２０４で加熱され、さらに濃縮された稀釈吸収溶液Ｌｉは、吸収溶液ライン２７０の分岐部２７２に向かう。分岐部２７２で分岐された稀釈吸収溶液Ｌｉの一部は、分岐ライン２７４を介して合流部２７４で吸収溶液Ｌｉの流れる吸収溶液ライン１１０に入り、吸収器２０８に導入される。
【００９４】
分岐部２７６を直行通過した稀釈吸収溶液Ｌｉは排熱熱交換器２２４を通過して排熱Ｑ３によって加熱され昇温し、高温溶液熱交換器３０４を通過して加熱され昇温し、高温再生器２０２に向かう。
【００９５】
冷媒溶液を含んだ稀釈吸収溶液Ｌｉは、高温再生器２０２でバーナーＢｎにより加熱され、冷媒溶液を蒸気として分離される。濃縮された吸収溶液Ｌｉは、吸収溶液ライン１１０を介して、高温溶液熱交換器３０４、中温溶液熱交換器３０２、低温溶液熱交換器３００で放熱し、吸収器２０８に導入される。
上記で省略した作用細部を含む作用全般は、全て図３の吸収冷温水機ＲＳ５と同じである。
【００９６】
このようにして、高温再生器２０２にバーナーＢｎで熱量を供給して加熱することに加え、外部の排熱を希釈吸収溶液Ｌｉの加熱に利用し、さらに低温再生器２０６、中温再生器２０４で加熱され濃縮された稀釈吸収溶液の一部を吸収溶液ライン１１０に導入して、系全体としての熱効率を向上させている。
【００９７】
図５は、第５の実施形態であるパラレルフロータイプの吸収冷温水機ＰＦ９の構成を示している。
吸収器２０８と高温再生器２０２とは、ポンプ１０２を介して吸収溶液の往路となる吸収溶液ライン２８２で連通され、吸収溶液ライン２８２に設けられた低温溶液熱交換器３００と中温溶液熱交換器３０２の間に分岐部３０８が設けられている。その分岐部３０８で分岐した分岐ライン３０６が低温再生器２０６に連通されている。
【００９８】
吸収溶液ライン２８２に設けられた高温溶液熱交換器３０４と前記中温溶液熱交換器３０４の間に分岐部３１１が設けられている。その分岐部３１１で分岐した分岐ライン３１０が中温再生器２０４に連通されている。
【００９９】
高温再生器２０２と吸収器２０８は、吸収溶液の復路となる吸収溶液ライン１０４で連通されていて、合流部３２０と中温再生器２０４とは吸収溶液ライン３１８で連通されている。
吸収溶液ライン３１４の合流部３２０と吸収器２０８との間に合流部３２４が設けられ、合流部３２４と低温再生器２０６とは吸収溶液ライン３２２で連通されている。
【０１００】
吸収溶液ライン１０４の高温再生器２０２と合流部３２０の間に、吸収溶液ライン２８２と熱的に接触する高温溶液熱交換器３０４が介装されている。
吸収溶液ライン３１４の合流部３２０と合流部３２４との間に、吸収溶液ライン２８２と熱的に接触する中温溶液熱交換器３０２が介装されている。
吸収溶液ライン１０４の合流部３２４と吸収器２０８との間に、吸収溶液ライン２８２と熱的に接触する低温溶液熱交換器３００が介装されている。
高温再生器２０２と中温再生器２０４とは、冷媒蒸気路となる第１の冷媒蒸気ライン２１６で連通されている。
【０１０１】
第１の冷媒蒸気ライン２１６は、ライン内を通過する冷媒蒸気が保有する熱量が、中温再生器２０４内の吸収溶液に投入されて冷媒蒸気が再生されるよう構成されている。
中温再生器２０４と低温再生器２０６とは、冷媒蒸気路となる第２の冷媒蒸気ライン２１６Ａと第３の冷媒蒸気ライン２１８とで並列に連通されている。
【０１０２】
第３の冷媒蒸気ライン２１８は、ライン内を通過する冷媒蒸気が保有する熱量が、低温再生器２０６内の吸収溶液に投入されて冷媒蒸気が再生されるよう構成されている。
低温再生器２０６と吸収器２０８は、吸収溶液ライン１０８で連通されている。
【０１０３】
高温再生器２０２に、加熱用熱源であるバーナーＢｎが付設され、ライン２１４によって燃料Ｑ０がバーナーＢｎに供給されるよう構成されている。
なお、加熱用熱源は、バーナーＢｎに限定されるものでなく、電熱ヒーター、蒸気ヒーター等であってもよい。
【０１０４】
排熱熱交換器２２０は、吸収溶液ライン２８２の高温溶液熱交換器３０４と高温再生器２０２との間の領域２５２に介装され、ライン５１０によって外部排熱源Ｑ１に連通されている。
【０１０５】
排熱熱交換器２２２は、高温溶液熱交換器３０４をバイパスする領域２５０に介装され、ライン５２０によって外部排熱源Ｑ２に連通されている。
排熱熱交換器２２３Ａは、高温溶液熱交換器３０４と分岐部３１１との間の領域２８６に介装され、ライン５３０によって外部排熱源Ｑ３に連通されている。
【０１０６】
排熱熱交換器２２４は、分岐部３１１と中温溶液熱交換器３０２との間の領域２４６Ｂに介装され、ライン５４０によって外部排熱源Ｑ４に連通されている。
【０１０７】
排熱熱交換器２２６は、中温溶液熱交換器３０２をバイパスする領域２４４に介装され、ライン５５０によって外部排熱源Ｑ５に連通されている。
【０１０８】
排熱熱交換器２２７は、分岐部２４０Ｂと分岐部３０８との間の領域２８４に介装され、ライン５６０によって外部排熱源Ｑ６に連通されている。
【０１０９】
排熱熱交換器２２８は、分岐部３０８と合流部２８３Ｇとの間の領域２８３Ｈに介装され、ライン５７０によって外部排熱源Ｑ７に連通されている。
排熱熱交換器２３０は、低温溶液熱交換器３００をバイパスする領域２３８に介装され、ライン５８０によって外部排熱源Ｑ８に連通されている。
【０１１０】
排熱熱交換器２３２は、吸収器２０８と分岐部２８２Ｂとの間の領域２３５に介装され、ライン５９０によって外部排熱源Ｑ９に連通されている。
上記以外のバーナＢｎ配置等は、図１の構成と同じである。
【０１１１】
各排熱熱交換器２２０、２２２、２２３Ａ、２２４、２２６、２２７、２２８、２３０、２３２は、これらに連通する外部排熱源Ｑ１〜Ｑ９のそれぞれの温度が、熱的に対象となる吸収溶液ライン２３４の温度より高温であることが必要条件である。したがって、吸収冷温水機ＰＦ９の温度状況、空調負荷、バーナー加熱温度、外気条件及び外部排熱源Ｑ１〜Ｑ９の温度等によって、各排熱熱交換器２２０、２２２、２２３Ａ、２２４、２２６、２２７、２２８、２３０、２３２の何れか１つあるいは全数を含む何れか複数が介装されている。
【０１１２】
あるいは、図示の実施形態において、排熱熱交換器２２０、２２２、２２３Ａ、２２４、２２６、２２７、２２８、２３０、２３２の全てを介装しなくてもよい。換言すれば、図示の排熱熱交換器２２０、２２２、２２３Ａ、２２４、２２６、２２７、２２８、２３０、２３２は、そのうちの１つ或いは複数が介装されていればよく、全てを介装する必要はない。もちろん、全ての排熱熱交換器２２０、２２２、２２３Ａ、２２４、２２６、２２７、２２８、２３０、２３２を介装してもよい。
【０１１３】
外部排熱源Ｑ１〜Ｑ９のそれぞれと、排熱熱交換器２２０、２２２、２２３Ａ、２２４、２２６、２２７、２２８、２３０、２３２とを、個々に連通させることは必須でなく、熱交換器の機能が果たされるなら１つの熱源で複数の熱交換器にシリーズに熱量を供給してもよいし、パラレルに熱量を供給してもよい。即ち、熱交換の可能な連通の組み合わせを自由に選択してよい。
【０１１４】
上記吸収冷温水機ＰＦ９の作用を、各排熱熱交換器２２０、２２２、２２３Ａ、２２４、２２６、２２７、２２８、２３０、２３２の全てが介装されている例について説明する。
【０１１５】
吸収器２０８からポンプ１０２で吸収溶液ライン２８２に吐出された冷媒を含む低温の稀釈吸収溶液Ｌｉは、排熱熱交換器２３２で排熱Ｑ９によって加熱され昇温し、分岐部２８２Ｂで分岐して、一方は領域２３８を通過して排熱熱交換器２３０で排熱Ｑ８によって加熱され昇温し、分岐部２８２Ｂで直行の他方の稀釈吸収溶液Ｌｉは低温溶液熱交換器３００を通過して加熱され昇温し、合流部２８３Ｇで合流する。
【０１１６】
なお、分岐部２８２Ｂでの稀釈吸収溶液Ｌｉの分岐割合は、低温溶液熱交換器３００からの受熱と、排熱熱交換器２３０からの受熱の合計熱量が最大となって合流部２８３Ｇでの稀釈吸収溶液Ｌｉ温度が最大になるように配分される。
【０１１７】
合流部２８３Ｇを通過した稀釈吸収溶液Ｌｉは、排熱熱交換器２２８を通過して排熱Ｑ７で加熱され昇温し、分岐部３０８で、一方は吸収溶液ライン３０６を介して低温再生器２０６に向かう。他方は、吸収溶液ライン２８２を直行して排熱熱交換器２２７で排熱Ｑ６より加熱され昇温して、分岐部２４０Ｂに向かう。
【０１１８】
分岐部２４０Ｂで分岐した稀釈吸収溶液Ｌｉの一方は領域２４４を通過して排熱熱交換器２２６で排熱Ｑ６により加熱され昇温し、分岐部２４０Ｂで直行の他方の稀釈吸収溶液Ｌｉは中温溶液熱交換器３０２を通過して加熱され昇温し、合流部２４２Ｇで合流する。
【０１１９】
なお、分岐部２４０Ｂでの吸収溶液Ｌｉの分岐割合は、前記の分岐部２８２Ｂでの分岐要領と同じである。
【０１２０】
合流部２４２Ｇを通過した稀釈吸収溶液Ｌｉは、排熱熱交換器２２４を通過して排熱Ｑ４によって加熱され昇温し、分岐部３１１で分岐して、 一方は中温再生器２０４に、他方は高温再生器２０２に向かう。
【０１２１】
分岐部３１１で分岐された稀釈吸収溶液Ｌｉは、中温再生器２０４で第１の冷媒蒸気ライン２１６の加熱で濃縮される。
分岐部３１１で直行して高温再生器２０２に向かった稀釈吸収溶液Ｌｉは排熱熱交換器２２３Ａで排熱Ｑ３により加熱され昇温し、分岐部２４６Ｂに向かう。
【０１２２】
分岐部２４６Ｂで分岐した稀釈吸収溶液Ｌｉの一方は領域２５０を通過して排熱熱交換器２２２で排熱Ｑ３により加熱され昇温し、分岐部２４６Ｂで直行の他方の稀釈吸収溶液Ｌｉは高温溶液熱交換器３０４を通過して加熱され昇温し、合流部２４６Ｇで合流する。
【０１２３】
なお、分岐部２４６Ｂでの吸収溶液Ｌｉの分岐割合は、前記の分岐部２８２Ｂ及び分岐部２４０Ｂでの分岐要領と同じである。
合流部２４６Ｇを通過した吸収溶液Ｌｉは、排熱熱交換器２２０を通過して排熱Ｑ１により加熱され昇温し、高温再生器２０２に導入される。
【０１２４】
冷媒溶液を含んだ稀釈吸収溶液Ｌｉは、高温再生器２０２でバーナーＢｎにより加熱され冷媒溶液を蒸気として分離され濃縮された吸収溶液Ｌｉは、吸収溶液ライン１０４によって高温溶液熱交換器３０４で放熱して吸収溶液ライン３１２の合流部３２０に向かう。
【０１２５】
合流部３２０に導かれた吸収溶液は、合流部３２０で、吸収溶液ライン３１８を介した吸収溶液と合流し、吸収溶液ライン３１４によって中温溶液熱交換器３０２で放熱して合流部３２４に向かう。
【０１２６】
合流部３２４に導かれた吸収溶液は、低温再生器２０６で濃縮された吸収溶液と合流して、低温溶液熱交換器３００で放熱して吸収器２０８に向かう。
冷媒の移動については、高温再生器２０２で稀釈吸収溶液Ｌｉから蒸発分離され、高熱量をもった蒸気として第１の冷媒蒸気ライン２１６を介して中温再生器２０４で吸収溶液を加熱させる。また、中温再生器２０４で蒸発分離された冷媒蒸気も、第２の冷媒蒸気ライン２１８を介して低温再生器２０６で熱量を放出する。
【０１２７】
低温再生器２０２で蒸発分離された冷媒蒸気は、中温再生器２０４からの蒸気とともに凝縮器２１０で凝縮され、蒸発器２１２で蒸発して外部流体と熱交換する。また、吸収器２０８で冷媒が外部流体と熱交換する。
【０１２８】
このようにして、高温再生器２０２にバーナーＢｎで熱量を供給して加熱することに加え、外部の排熱を希釈吸収溶液Ｌｉの加熱に利用し、吸収冷温水機ＰＦ９の系全体としての熱効率を向上させている。
【０１２９】
図６は、第６の実施形態である別のパラレルフロータイプ吸収冷温水機ＰＦ１４の構成を示している。図５の実施形態と異なる部分を主体に説明する。
【０１３０】
排熱熱交換器２２７Ｃは、吸収溶液ライン２８２の高温溶液熱交換器３０４と中温溶液熱交換器３０２と低温溶液熱交換器３００と分岐部３０８と分岐部３１１を、分岐部２８２Ｂと合流部２８７Ｇでバイパスする領域２５１Ｓに介装され、ライン６５０によって外部排熱源Ｑ１４に連通されている。
【０１３１】
排熱熱交換器２２７Ｃの前後に装着されている排熱熱交換器２３２と２２０への排熱熱交換器２２７Ｃの連通関係は、図５における排熱熱交換器２２２、２２３Ａ、２２４、２２６、２２７、２２８、２３０に代えて、排熱熱交換器２２７Ｃを介装した状態である。
上記を除いては、前記図５の構成と同じである。
【０１３２】
各排熱熱交換器２２０、２２７Ｃ、２３２は、これらに連通する外部排熱源Ｑ１、Ｑ１４、Ｑ９のそれぞれの温度が、熱的に対象となる吸収溶液ライン２８２の温度より高温であることが必要条件である。したがって、吸収冷温水機ＰＦ１４の温度状況、空調負荷、バーナー加熱温度、外気条件及び外部排熱源Ｑ１、Ｑ１４、Ｑ９の温度等によって、各排熱熱交換器２２０、２２７Ｃ、２３２の何れか１つあるいは全数を含む何れか複数が介装されている。
【０１３３】
あるいは、図示の実施形態において、排熱熱交換器２２０、２２７Ｃ、２３２の全てを介装しなくてもよい。換言すれば、図示の排熱熱交換器２２０、２２７Ｃ、２３２は、そのうちの１つ或いは複数が介装されていればよく、全てを介装する必要はない。もちろん、全ての排熱熱交換器２２０、２２７Ｃ、２３２を介装してもよい。
【０１３４】
外部排熱源Ｑ１、Ｑ１４、Ｑ９のそれぞれと、排熱熱交換器２２０、２２７Ｃ、２３２とを、個々に連通させることは必須でなく、熱交換器の機能が果たされるなら１つの熱源で複数の熱交換器にシリーズに熱量を供給してもよいし、パラレルに熱量を供給してもよい。即ち、熱交換の可能な連通の組み合わせを自由に選択してよい。
【０１３５】
上記吸収冷温水機ＰＦ１４の作用を、排熱熱交換器２２７Ｃが介装されている周辺を主体にして説明する。
吸収器２０８からポンプ１０２で吸収溶液ライン２８２に吐出された冷媒を含む低温の稀釈吸収溶液Ｌｉは、排熱熱交換器２３２で排熱Ｑ９によって加熱され昇温し、分岐部２８２Ｂで分岐して、一方は排熱熱交換器２２７Ｃで排熱Ｑ１４によって加熱され昇温して合流部２８７Ｇに向かう。
【０１３６】
分岐部２８２Ｂで直行の他方の稀釈吸収溶液Ｌｉは、低温溶液熱交換器３００を通過して加熱され昇温し、分岐部３０８で、一方は低温再生器２０６に向かい他方は直行して高温再生器２０２に向かう。
【０１３７】
高温再生器２０２に向かった稀釈吸収溶液Ｌｉは、中温溶液熱交換器３０２で加熱され昇温し分岐部３１１で一方は中温再生器２０４に向かい、他方は直行して高温再生器３０４で加熱され昇温し合流部２８７Ｇで排熱熱交換器２２７Ｃを経由した稀釈吸収溶液Ｌｉと合流して高温再生器２０２に向かう。
【０１３８】
合流部２８７Ｇから高温再生器２０２に向かった吸収溶液Ｌｉは、排熱熱交換器２２０で排熱Ｑ１によって加熱され昇温し高温再生器２０２に導入される。
高温再生器２０２、中温再生器２０４、低温再生器２０６等を経由する吸収溶液及び冷媒蒸気の作動は、図５と同じである。
【０１３９】
上記のようにして、吸収冷温水機の特性に応じて、排熱熱交換器の個数を少数にして、かつ熱効率を向上させる。
【０１４０】
図７は、第７の実施形態であるシリーズパラレルフロータイプ吸収冷温水機ＳＰ１５の構成を示している。
吸収器２０８と高温再生器２０２は、ポンプ１０２を介した稀釈吸収溶液ライン２８２で連通され、吸収溶液ライン２８２に設けられた低温溶液熱交換器３００と中温溶液熱交換器３０２の間に分岐部３０８が設けられている。その分岐部３０８で分岐した分岐ライン３０６が低温再生器２０６に連通されている。
【０１４１】
吸収溶液ライン２８２に設けられた高温溶液熱交換器３０４と前記中温溶液熱交換器３０４の間に分岐部３１１が設けられている。その分岐部３１１で分岐した分岐ライン３１０が中温再生器２０４に連通されている。
【０１４２】
高温再生器２０２と中温再生器２０４とは、吸収溶液の復路とる吸収溶液ライン３４０と、第１の冷媒蒸気ライン２１６で連通されている。
【０１４３】
第１の冷媒蒸気ライン２１６は、ライン内を通過する冷媒蒸気が保有する熱量が、中温再生器２０４内の吸収溶液に投入されて冷媒蒸気が再生されるよう構成されている。
【０１４４】
中温再生器２０４と低温再生器２０６とは連続する吸収溶液ライン３１８、３０６と、並列な第１の冷媒蒸気ライン２１６と第２の冷媒蒸気ライン２１８とで連通されている。
【０１４５】
第２の冷媒蒸気ライン２１８は、ライン内を通過する冷媒蒸気が保有する熱量が、低温再生器２０６内の吸収溶液に投入されて冷媒蒸気が再生されるよう構成されている。
低温再生器２０６と吸収器２０８とは、吸収溶液ライン３２２で連通されている。
【０１４６】
吸収溶液ライン３４０に高温溶液熱交換器３０４が介装され、吸収溶液ライン３１８に中温溶液熱交換器３０２が介装され、吸収溶液ライン３２２に低温溶液熱交換器３００が介装されている。
【０１４７】
高温溶液熱交換器３０４、中温溶液熱交換器３０２及び低温溶液熱交換器３００は、何れも吸収溶液ライン２８２と熱的に接触し、何れも吸収溶液ライン２８２に伝熱させるよう構成されている。
【０１４８】
高温再生器２０２に、加熱用熱源であるバーナーＢｎが付設され、ライン２１４によって燃料Ｑ０がバーナーＢｎに供給されるよう構成されている。
なお、加熱用熱源は、バーナーＢｎに限定されるものでなく、電熱ヒーター、蒸気ヒーター等であってもよい。
【０１４９】
排熱熱交換器２２０は、吸収溶液ライン２８２の高温溶液熱交換器３０４と高温再生器２０２との間の領域２５２に介装され、ライン５１０によって外部排熱源Ｑ１に連通されている。
【０１５０】
排熱熱交換器２２２は、吸収溶液ライン２８２の高温溶液熱交換器３０４を分岐部２６４と合流部２４６Ｇでバイパスする領域２５０に介装され、ライン５２０によって外部排熱源Ｑ２に連通されている。
【０１５１】
排熱熱交換器２２３Ａは、吸収溶液ライン２８２の分岐部２４６Ｂと分岐部３１１との間の領域２８６に介装され、ライン５３０によって外部排熱源Ｑ３に連通されている。
【０１５２】
排熱熱交換器２２４は、吸収溶液ライン２８２の分岐部３１１と合流部２４２Ｇとの間の領域２４６Ｂに介装され、ライン５４０によって外部排熱源Ｑ４に連通されている。
【０１５３】
排熱熱交換器２２６は、吸収溶液ライン２８２の中温溶液熱交換器３０２を分岐部２４０Ｂと合流部２４２Ｇでバイパスする領域２４４に介装され、ライン５５０によって外部排熱源Ｑ５に連通されている。
【０１５４】
排熱熱交換器２２７は、吸収溶液ライン２８２の分岐部３０８と分岐部２４０Ｂとの間の領域２４３Ｐに介装され、ライン５６０によって外部排熱源Ｑ６に連通されている。
【０１５５】
排熱熱交換器２２８は、吸収溶液ライン２８２の合流部２８３Ｇと分岐部３０８との間の領域２８３Ｈに介装され、ライン５７０によって外部排熱源Ｑ７に連通されている。
【０１５６】
排熱熱交換器２３０は、吸収溶液ライン２８２の低温溶液熱交換器３００を分岐部２８２Ｂと合流部２８３Ｇでバイパスする領域２８３に介装され、ライン５８０によって外部排熱源Ｑ８に連通されている。
【０１５７】
排熱熱交換器２３２は、吸収溶液ライン２８２の吸収器２０８と分岐部２８２Ｂとの間の領域２３５に介装され、ライン５９０によって外部排熱源Ｑ９に連通されている。
【０１５８】
上記各排熱熱交換器２２０、２２２、２２３Ａ、２２４、２２６、２２７、２２８、２３０、２３２は、これらに連通する外部排熱源Ｑ１〜Ｑ９のそれぞれの温度が、熱的に対象となる吸収溶液ライン２８２の温度より高温であることが必要条件である。したがって、吸収冷温水機ＳＰ１５の温度状況、空調負荷、バーナー加熱温度、外気条件及び外部排熱源Ｑ１〜Ｑ９の温度等によって、各排熱熱交換器２２０、２２２、２２３Ａ、２２４、２２６、２２７、２２８、２３０、２３２の何れか１つあるいは全数を含む何れか複数が介装されている。
【０１５９】
あるいは、図示の実施形態において、排熱熱交換器２２０、２２２、２２３Ａ、２２４、２２６、２２７、２２８、２３０、２３２の全てを介装しなくてもよい。換言すれば、図示の排熱熱交換器２２０、２２２、２２３Ａ、２２４、２２６、２２７、２２８、２３０、２３２は、そのうちの１つ或いは複数が介装されていればよく、全てを介装する必要はない。もちろん、全ての排熱熱交換器２２０、２２２、２２３Ａ、２２４、２２６、２２７、２２８、２３０、２３２を介装してもよい。
【０１６０】
外部排熱源Ｑ１〜Ｑ９のそれぞれと、排熱熱交換器２２０、２２２、２２３Ａ、２２４、２２６、２２７、２２８、２３０、２３２とを、個々に連通させることは必須でなく、熱交換器の機能が果たされるなら１つの熱源で複数の熱交換器にシリーズに熱量を供給してもよいし、パラレルに熱量を供給してもよい。即ち、熱交換の可能な連通の組み合わせを自由に選択してよい。
【０１６１】
上記吸収冷温水機ＳＰ１５の作用を、各排熱熱交換器２２０、２２２、２２３Ａ、２２４、２２６、２２７、２２８、２３０、２３２の全てが介装されている例について説明する。
【０１６２】
吸収器２０８からポンプ１０２で吸収溶液ライン２８２に吐出された冷媒を含む低温の稀釈吸収溶液Ｌｉは、排熱熱交換器２３２で排熱Ｑ９により加熱され昇温し、分岐部２８２Ｂで分岐して、 一方は領域２８３を通過して排熱熱交換器２３０で排熱Ｑ８により加熱され昇温し、分岐部２８２Ｂで直行の他方の稀釈吸収溶液Ｌｉは低温溶液熱交換器３００を通過して加熱され昇温し、合流部２８３Ｇで合流する。
【０１６３】
なお、分岐部２８２Ｂでの吸収溶液Ｌｉの分岐割合は、低温溶液熱交換器３００からの受熱と、排熱熱交換器２３０からの受熱の合計熱量が最大となって合流部２８３Ｇでの吸収溶液Ｌｉ温度が最大になるように配分される。
【０１６４】
合流部２８３Ｇを通過した稀釈吸収溶液Ｌｉは、排熱熱交換器２２８を通過して排熱Ｑ７により加熱され昇温し、分岐部３０８で、一方は吸収溶液ライン３０６を介して低温再生器２０６に向かう。他方は吸収溶液ライン２８２を直行して排熱熱交換器２２７で排熱Ｑ６により加熱され昇温して、分岐部２４０Ｂに向かう。
【０１６５】
分岐部２４０Ｂで分岐した稀釈吸収溶液Ｌｉの一方は領域２４４を通過して排熱熱交換器２２６で排熱Ｑ５により加熱され昇温し、分岐部２４０Ｂで直行の他方の稀釈吸収溶液Ｌｉは中温溶液熱交換器３０２を通過して加熱され昇温し、合流部２４２Ｇで合流する。
【０１６６】
なお、分岐部２４０Ｂでの吸収溶液Ｌｉの分岐割合は、前記の分岐部２８２Ｂでの分岐要領と同じである。
合流部２４２Ｇを通過した稀釈吸収溶液Ｌｉは、排熱熱交換器２２４を通過して排熱Ｑ４により加熱され昇温し、分岐部３１１で分岐して、 一方は中温再生器２０４に、他方は高温再生器２０２に向かう。
【０１６７】
分岐部３１１で分岐され吸収溶液ライン３１０に向かったた稀釈吸収溶液Ｌｉは、中温再生器２０４で第１の冷媒蒸気ライン２１６の加熱で濃縮される。
高温再生器２０２に向かった稀釈吸収溶液Ｌｉは、排熱熱交換器２２３Ａで排熱Ｑ３により加熱され昇温し、分岐部２４６Ｂに向かう。
【０１６８】
分岐部２４６Ｂで分岐した稀釈吸収溶液Ｌｉの一方は領域２５０を通過して排熱熱交換器２２２で排熱Ｑ２により加熱され昇温し、分岐部２４６Ｂで直行の他方の稀釈吸収溶液Ｌｉは高温溶液熱交換器３０４を通過して加熱され昇温し、合流部２４６Ｇで合流する。
【０１６９】
なお、分岐部２４６Ｂでの吸収溶液Ｌｉの分岐割合は、前記の分岐部２８２Ｂ及び分岐部２４０Ｂでの分岐要領と同じである。
合流部２４６Ｇを通過した吸収溶液Ｌｉは、排熱熱交換器２２０を通過して排熱Ｑ１により加熱され昇温し、高温再生器２０２に導入される。
【０１７０】
冷媒溶液を含んだ稀釈吸収溶液Ｌｉは、高温再生器２０２でバーナーＢｎにより加熱され、冷媒溶液を蒸気として分離され濃縮された吸収溶液Ｌｉは、吸収溶液ライン３４０によって高温溶液熱交換器３０４で放熱して中温再生器２０４に向かう。
【０１７１】
中温再生器２０４で冷媒溶液を蒸気として分離され濃縮された吸収溶液Ｌｉは、吸収溶液ライン３１８によって中温溶液熱交換器３０２で放熱して吸収溶液ライン３０６に合流して低温再生器２０６に向かう。
低温再生器２０６で濃縮された吸収溶液は、低温溶液熱交換器３００で放熱して吸収器２０８に向かう。
【０１７２】
冷媒の移動については、高温再生器２０２で稀釈吸収溶液Ｌｉから蒸発分離され、高熱量をもった蒸気として第１の冷媒蒸気ライン２１６を介して中温再生器２０４で吸収溶液を加熱させる。また、中温再生器２０４で蒸発分離された冷媒蒸気も、第２の冷媒蒸気ライン２１８を介して低温再生器２０６で熱量を放出する。
【０１７３】
低温再生器２０２で蒸発分離された冷媒蒸気は、中温再生器２０４からの蒸気とともに凝縮器２１０で凝縮され、蒸発器２１２で蒸発して外部流体と熱交換する。また、吸収器２０８で冷媒が外部流体と熱交換する。
【０１７４】
このようにして、高温再生器２０２にバーナーＢｎで熱量を供給して加熱することに加え、外部の排熱を希釈吸収溶液Ｌｉの加熱に利用し、吸収冷温水機ＳＰ１５の系全体としての熱効率を向上させている
【０１７５】
図８は第８の実施形態である別のシリーズパラレルフロータイプ吸収冷温水機ＳＰ２０の構成を示している。図７の実施形態と異なる部分を主体に説明する。
【０１７６】
排熱熱交換器２２７Ｃは、吸収溶液ライン２８２の高温溶液熱交換器３０４と中温溶液熱交換器３０２と低温溶液熱交換器３００と分岐部３０８と分岐部３１１を、分岐部２８２Ｂと合流部２８７Ｇでバイパスする領域２５１Ｓに介装され、ライン６５０で外部排熱源Ｑ１４に連通されている。
【０１７７】
排熱熱交換器２２７Ｃの前後に装着されている排熱熱交換器２３２と２２０への排熱熱交換器２２７Ｃの連通関係は、図７における排熱熱交換器２２２、２２３Ａ、２２４、２２６、２２７、２２８、２３０に代えて、排熱熱交換器２２７Ｃを介装した状態である。
上記を除いては、前記図７の構成と同じである。
【０１７８】
各排熱熱交換器２２０、２２７Ｃ、２３２は、これらに連通する外部排熱源Ｑ１、Ｑ１４、Ｑ９のそれぞれの温度が、熱的に対象となる吸収溶液ライン２８２の温度より高温であることが必要条件である。したがって、吸収冷温水機ＳＰ２０の温度状況、空調負荷、バーナー加熱温度、外気条件及び外部排熱源Ｑ１、Ｑ１４、Ｑ９の温度等によって、各排熱熱交換器２２０、２２７Ｃ、２３２の何れか１つあるいは全数を含む何れか複数が介装されている。
【０１７９】
あるいは、図示の実施形態において、排熱熱交換器２２０、２２７Ｃ、２３２の全てを介装しなくてもよい。換言すれば、図示の排熱熱交換器２２０、２２７Ｃ、２３２は、そのうちの１つ或いは複数が介装されていればよく、全てを介装する必要はない。もちろん、全ての排熱熱交換器２２０、２２７Ｃ、２３２を介装してもよい。
【０１８０】
外部排熱源Ｑ１、Ｑ１４、Ｑ９のそれぞれと、排熱熱交換器２２０、２２７Ｃ、２３２とを、個々に連通させることは必須でなく、熱交換器の機能が果たされるなら１つの熱源で複数の熱交換器にシリーズに熱量を供給してもよいし、パラレルに熱量を供給してもよい。即ち、熱交換の可能な連通の組み合わせを自由に選択してよい。
【０１８１】
上記吸収冷温水機ＳＰ２０の作用を、排熱熱交換器２２７Ｃが介装されている周辺を主体にして説明する。
吸収器２０８からポンプ１０２で吸収溶液ライン２８２に吐出された冷媒を含む低温の稀釈吸収溶液Ｌｉは、排熱熱交換器２３２で排熱Ｑ９により加熱され昇温し、分岐部２８２Ｂで分岐して、一方は排熱熱交換器２２７Ｃで排熱Ｑ１４により加熱され昇温して合流部２８７Ｇに向かう。
【０１８２】
分岐部２８２Ｂで直行の他方の稀釈吸収溶液Ｌｉは、低温溶液熱交換器３００を通過して加熱され昇温し、分岐部３０８で、一方は低温再生器２０６に向かい他方は直行して高温再生器２０２に向かう。
【０１８３】
高温再生器２０２に向かった稀釈吸収溶液Ｌｉは、中温溶液熱交換器３０２で加熱され昇温し、分岐部３１１で分岐して、一方は中温再生器２０４に向かい、他方は直行して高温再生器３０４で加熱され昇温し、排熱熱交換器２２７Ｃで排熱Ｑ１４により加熱され昇温した稀釈吸収溶液Ｌｉと合流部２８７Ｇで合流して高温再生器２０２に向かう。
【０１８４】
合流部２８７Ｇから高温再生器２０２に向かった吸収溶液Ｌｉは、排熱熱交換器２２０で排熱Ｑ１により加熱され昇温し、高温再生器２０２に導入される。
高温再生器２０２、中温再生器２０４、低温再生器２０６等を経由する吸収溶液及び冷媒蒸気の作動は、図７と同じである。
【０１８５】
上記のようにして、吸収冷温水機の特性に応じて、排熱熱交換器の個数を少数にして、かつ熱効率を向上させている。
【０１８６】
図示の実施形態はあくまで例示であり、本発明の技術的範囲を限定する趣旨の記述ではない。
例えば、図示では各種のフロータイプ（例えば、シリーズフロー、パラレルフロー、リバースフロー、シリーズ・パラレルフロー、リバース・パラレルフロー）の代表的なもののみを示しているが、図示しないフローパターンにも本発明の利用が可能である。
また、冷媒ドレン熱交換器を配置し、下胴を複数段にし、溶液冷却吸収器を設けた実施形態は、図示以外にも多数考えられる。
【０１８７】
【発明の効果】
本発明の作用効果を、以下に列記する。
（１）  本発明によれば、排熱熱交換器で外部熱源を使用して稀釈吸収溶液を加熱させているので、再生器に供給する熱を低減できて系の熱効率が高い。
（２）  再生器で蒸発し発生した冷媒蒸気を低温再生器および低温の稀釈吸収溶液加熱に使用するので熱の回収がさらに大きくなる。
（３）  冷媒ドレンを冷媒ドレン熱交換器に通し、稀釈吸収冷媒を加熱させるので熱の回収が大きくなる。
（４）  蒸発器と吸収器の下胴部分を複数段に分割すれば、機能が向上して熱効率も良くなる。
（５）  吸収器に溶液冷却吸収器を設ければ、再生器からの滴下吸収溶液の熱量を回収できる。
【図面の簡単な説明】
【図１】本発明の第１の実施形態のシリーズフロータイプ吸収冷温水機を示す構成図。
【図２】本発明の第２の実施形態の別のシリーズフロータイプ吸収冷温水機を示す構成図。
【図３】本発明の第３の実施形態のリバースフロータイプ吸収冷温水機を示す構成図。
【図４】本発明の第４の実施形態のリバースパラレルフロータイプ吸収冷温水機を示す構成図。
【図５】本発明の第５の実施形態のパラレルフロータイプ吸収冷温水機を示す構成図。
【図６】本発明の第６の実施形態の別のパラレルフロータイプ吸収冷温水機を示す構成図。
【図７】本発明の第７の実施形態のシリーズパラレルフロータイプ吸収冷温水機を示す構成図。
【図８】本発明の第８の実施形態の別のシリーズパラレルフロータイプ吸収冷温水機を示す構成図。
【図９】従来のシリーズフロータイプ吸収冷温水機を示す構成図。
【符号の説明】
Ｂｎ・・・・バーナー
２０２・・・高温再生器
２０４・・・中温再生器
２０６・・・低温再生器
２０８・・・吸収器
２１０・・・凝縮器
２１２・・・蒸発器
２１４・・・ライン
２２０、２２２、２２４、２２６、２２８、２３０、２３２・・排熱熱交換器
２３４、２３８、２４０、２４４、２４６、２５０、２５２・・吸収溶液ライン
３００・・・低温溶液熱交換器
３０２・・・中温溶液熱交換器
３０４・・・高温溶液熱交換器
【図１】
0003791835.tif 000002
【図２】
0003791835.tif 000003
【図３】
0003791835.tif 000004
【図４】
0003791835.tif 000005
【図５】
0003791835.tif 000006
【図６】
0003791835.tif 000007
【図７】
0003791835.tif 000008
【図８】
0003791835.tif 000009
【図９】
0003791835.tif 000010